(57)【要約】移動体コントローラ装置（２００）は、無線位置特定システム（２０４）と双方向通信システム（２０２）とを有し、ローバ装置（２１４）も、無線位置特定システム（２１８）と双方向通信システム（２１６）とを有する。コントローラ装置（２００）は、ローバ装置（２１４）にその位置データを、ローバ装置を位置特定し、所望の場合には、迷子や落し物などにおいて探索することが可能であるように送信することを命じることが可能である。コントローラとローバとの間の相対位置を、コントローラ上に、ローバの場所を示す矢印、更には、それの移動速度、その移動の追跡や他のデータとともに表示（２０８）することが可能である。システムは、ＰＤＥを有するネットワーク・システム（２１２）と、通信機能及び算出機能の一部を行うアプリケーション・サーバ（２１０）とをともに動作することも可能である。
2006524316.tif 000002
【特許請求の範囲】
【請求項１】
移動体ローバを移動体コントローラから位置特定し、追跡するシステムであって、該システムは、前記移動体ローバ及び前記移動体コントローラとの間で通信するよう通信ネットワークとともに動作可能であり、前記コントローラの位置の計算とローバの位置の計算とに適用可能な位置関連測定データを送信するよう少なくとも１つの位置特定技術ソースとともに動作可能であり、前記システムが、
位置測定データを位置特定技術ソースから受信する受信器と、前記通信ネットワークを介して通信を受信し、送信する通信モジュールと、前記コントローラのヘディングとを有する移動体コントローラ；及び
位置測定データを位置特定技術ソースから受信する受信器と、前記通信ネットワークを介して通信を受信し、送信する通信モジュールとを有する移動体ローバを備え；
更に、１つ又は複数の特別にプログラムされるコンピュータ構成要素を備え、該コンピュータ構成要素は、前記位置特定技術ソースから前記コントローラと前記ローバとの各々によって受信される信号からの位置関連測定データを受信し、処理して、更なる算出に用いる対象の位置測定データ源の最も共通的な群を判定することを可能にされ、かつ、前記データを用いて、前記ローバの前記コントローラに対する相対的な空間位置を判定し、更に前記コントローラの前記ヘッディングを判定する手段を用いて前記ローバの前記コントローラに対するベアリングを判定し、前記コントローラは、前記ローバの前記コントローラに対する前記ベアリングを表示することを可能にされる表示モジュールを有することを特徴とするシステム。
【請求項２】
請求項１記載のシステムであって、前記コントローラが、複数のローバを位置特定し、追跡することを可能にされ、前記複数のローバのうちから、位置特定し、追跡することが所望される１つ又は複数のものを選択することが可能であることを特徴とするシステム。
【請求項３】
請求項１記載のシステムであって、前記位置特定技術ソースが衛星ベースの位置特定技術であることを特徴とするシステム。
【請求項４】
請求項１記載のシステムであって、前記位置特定技術ソースが地上ベースの位置特定技術であることを特徴とするシステム。
【請求項５】
請求項１記載のシステムであって、前記位置特定技術ソースが、地上ベースの位置特定技術と衛星ベースの位置特定技術とのハイブリッドのものであることを特徴とするシステム。
【請求項６】
請求項１記載のシステムであって、前記特別にプログラムされるコンピュータ構成要素の１つがアプリケーション・サーバであり、該アプリケーション・サーバは、前記通信ネットワークを介して前記アプリケーション・サーバに送信される前記コントローラの位置測定データ源と前記ローバの位置測定データ源との最も共通的な群を判定し、前記ローバの前記コントローラに対する前記相対的な空間位置は前記最も共通的な群を用いて判定されることを特徴とするシステム。
【請求項７】
請求項１記載のシステムであって、特別にプログラムされるコンピュータ構成要素が、前記ローバ単独と、前記コントローラと前記ローバとの両方との何れかの絶対位置を判定することを可能にされ、前記コントローラでのディスプレイは、前記ローバの絶対的な地図位置又は前記ローバ及び前記コントローラの絶対的な地図位置を表示することを可能にされることを特徴とするシステム。
【請求項８】
請求項３記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項９】
請求項３記載のシステムであって、前記衛星ベースの位置特定技術が、ガリレオ・システムを備えることを特徴とするシステム。
【請求項１０】
請求項６記載のシステムであって、特別にプログラムされるコンピュータ構成要素が、前記ローバ単独と、前記コントローラと前記ローバとの両方との何れかの絶対位置を判定することを可能にされ、前記コントローラでのディスプレイは、前記ローバの絶対的な地図位置又は前記ローバ及び前記コントローラの絶対的な地図位置を表示することを可能にされることを特徴とするシステム。
【請求項１１】
請求項６記載のシステムであって、前記位置特定技術ソースが衛星ベースの位置特定技術であることを特徴とするシステム。
【請求項１２】
請求項６記載のシステムであって、前記位置特定技術ソースが地上ベースの位置特定技術であることを特徴とするシステム。
【請求項１３】
請求項６記載のシステムであって、前記位置特定技術ソースが、地上ベースの位置特定技術と衛星ベースの位置特定技術とのハイブリッドのものであることを特徴とするシステム。
【請求項１４】
請求項６記載のシステムであって、前記アプリケーション・サーバによって判定される、位置測定データ源の前記最も共通的な群の位置測定データが；
前記ローバの前記コントローラに対する相対的な空間位置を算出し、更に、前記通信ネットワークを介して該算出の結果を前記コントローラに送信する、前記ネットワークと関連付けられるコンピュータ構成要素と、
前記コントローラとのうちの選択される１つに前記通信ネットワークを介して送信され、前記コントローラでの特別にプログラムされるコンピュータ構成要素は、前記ローバの前記コントローラに対する前記相対的な空間位置を計算することを特徴とするシステム。
【請求項１５】
請求項６記載のシステムであって、前記衛星ベースの位置特定技術が、ガリレオ・システムを備えることを特徴とするシステム。
【請求項１６】
請求項８記載のシステムであって、ＡＧＰＳが利用可能であり、かつ、ＡＧＰＳ動作可能機器からの支援を受け、利用することを少なくとも前記ローバが可能にされるか、前記ローバと前記コントローラとの両方が可能にされることを特徴とするシステム。
【請求項１７】
請求項１１記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項１８】
請求項１２記載のシステムであって、前記地上ベースの位置特定技術が、ＡＦＬＴと、ＥＯＴＤと、ＴＤＯＡと、ＵＴＤＯＡと、ＡＯＡとから成る群から選択されることを特徴とするシステム。
【請求項１９】
請求項１３記載のシステムであって、前記衛星ベースの位置特定技術がＧＰＳを備え、前記地上ベースの位置特定技術が、ＡＦＬＴと、ＥＯＴＤと、ＴＤＯＡと、ＵＴＤＯＡと、ＡＯＡとから成る群から選択されることを特徴とするシステム。
【請求項２０】
請求項１４記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項２１】
請求項１６記載のシステムであって、前記位置特定技術がＭＳベースのＡＧＰＳ支援機能を備えることを特徴とするシステム。
【請求項２２】
請求項１６記載のシステムであって、前記位置特定技術がネットワーク・ベースのＡＧＰＳを備えることを特徴とするシステム。
【請求項２３】
請求項１６記載のシステムであって、前記位置特定技術が、単独測位ＧＰＳとＡＧＰＳとの何れかを選択基準に基づいて選択的に用いるものであることを可能にされることを特徴とするシステム。
【請求項２４】
請求項１７記載のシステムであって、ＡＧＰＳが利用可能であり、かつ、ＡＧＰＳからの支援を受け、利用することを少なくとも前記ローバが可能にされるか、前記ローバと前記コントローラとの両方が可能にされることを特徴とするシステム。
【請求項２５】
請求項２０記載のシステムであって、ＡＧＰＳが利用可能であり、かつ、ＡＧＰＳからの支援を受け、利用することを少なくとも前記ローバが可能にされるか、前記ローバと前記コントローラとの両方が可能にされることを特徴とするシステム。
【請求項２６】
請求項２４記載のシステムであって、前記位置特定技術がＭＳベースのＡＧＰＳ支援機能を備えることを特徴とするシステム。
【請求項２７】
請求項２４記載のシステムであって、前記位置特定技術がネットワーク・ベースのＡＧＰＳを備えることを特徴とするシステム。
【請求項２８】
請求項２４記載のシステムであって、前記位置特定技術が、単独測位ＧＰＳとＡＧＰＳとの何れかを選択基準に基づいて選択的に用いるものであることを可能にされることを特徴とするシステム。
【請求項２９】
請求項２５記載のシステムであって、前記位置特定技術がＭＳベースのＡＧＰＳ支援機能を備えることを特徴とするシステム。
【請求項３０】
請求項２５記載のシステムであって、前記位置特定技術がネットワーク・ベースのＡＧＰＳを備えることを特徴とするシステム。
【請求項３１】
請求項２５記載のシステムであって、前記位置特定技術が、単独測位ＧＰＳとＡＧＰＳとの何れかを選択基準に基づいて選択的に用いるものであることを可能にされることを特徴とするシステム。
【請求項３２】
移動体ローバを移動体コントローラから位置特定し、追跡するシステムであって、該システムは、ＡＧＰＳ動作可能システムとともに動作する無線通信ネットワークとともに動作可能であり、
移動体コントローラを備え、該移動体コントローラは；
前記無線通信ネットワークを介して通信することを可能にされる無線通信モジュールと、
ＡＧＰＳモードにおいて機能して、前記無線通信ネットワークを介してＡＧＰＳ支援を取得し、かつ、ＧＰＳ位置測定データをＧＰＳ衛星から受信することを可能にされるＧＰＳモジュールと、
前記コントローラのヘディングを備えるよう、（ａ）コンパスと、（ｂ）前記コントローラが移動することによってＧＰＳを用いることと、  （ａ）と（ｂ）との両方とのうちの１つから選択される手段とを備え、
更に、移動体ローバを備え、該移動体ローバは；
前記無線通信ネットワークを介して通信することを可能にされる無線通信モジュールと、
ＡＧＰＳモードにおいて機能して、前記無線通信ネットワークを介してＡＧＰＳ支援を取得し、かつ、ＧＰＳ位置測定データをＧＰＳ衛星から受信することを可能にされるＧＰＳモジュールと、
前記コントローラも前記ローバも位置測定データを受信する共通のＧＰＳ衛星を選択する手段と、
前記ローバの前記コントローラに対する相対的な空間位置を少なくとも前記共通のＧＰＳ衛星を用いて算出する手段と、
算出を行って、前記ローバの位置又は前記ローバと前記コントローラとの両方の位置を示す地図の表示を可能にし、前記地図を前記コントローラ上に表示する手段と、
前記コントローラから前記ローバまでのベアリングの表示子を判定することを可能にし、前記表示子を前記コントローラ上に表示する手段とを備えることを特徴とするシステム。
【請求項３３】
請求項３２記載のシステムであって、前記コントローラが、前記ローバまでの前記コントローラからの距離を表示することを可能にされることを特徴とするシステム。
【請求項３４】
請求項３２記載のシステムであって、前記コントローラが、前記ローバの前記コントローラに対する高度を表示することを可能にされることを特徴とするシステム。
【請求項３５】
請求項３２記載のシステムであって、前記コントローラが、前記ローバの位置の証跡を前記ローバが移動するにつれ表示することを可能にされることを特徴とするシステム。
【請求項３６】
請求項３２記載のシステムであって、共通の衛星を選択する手段が、前記通信ネットワークと関連付けられるアプリケーション・サーバであることを特徴とするシステム。
【請求項３７】
請求項３２記載のシステムであって、前記ローバの前記コントローラに対する前記相対的な空間位置を算出する手段は、前記通信ネットワークと関連付けられる計算機構成要素であることを特徴とするシステム。
【請求項３８】
請求項３２記載のシステムであって、前記ローバの前記コントローラに対する前記相対的な空間位置を算出する手段は、前記コントローラにおける計算機構成要素であることを特徴とするシステム。
【請求項３９】
請求項３２記載のシステムであって、前記ローバの前記コントローラからの前記ベアリングを判定することを可能にする手段が；
前記コントローラの前記ヘディングを判定する手段と、前記ベアリングから前記ローバまでの距離を計算する、前記コントローラにおける計算機構成要素とを備えることを特徴とするシステム。
【請求項４０】
無線通信ネットワークとともに動作可能な移動体コントローラに対して移動体ローバをオン・デマンドで位置特定するシステムであって、
移動体コントローラを備え、該移動体コントローラは、位置測定情報を位置特定技術ソースから受信する無線位置特定モジュールと、移動体ローバに命令を送信し、前記ローバにある無線位置特定モジュールから受信されるデータを処理する無線通信モジュール及び制御モジュールとを有し、
更に、少なくとも１つの移動体ローバを備え、該移動体ローバは、位置測定情報を位置特定技術ソースから受信する無線位置特定モジュールと、位置測定情報を含む情報を伝送する無線通信モジュールと、命令を移動体コントローラから受信する制御モジュールとを有し、
前記移動体ローバは、該移動体ローバが工程群のうちの選択される１つによって受信した位置測定情報を送信することを可能にされ、該工程群は；
１）前記無線通信ネットワークを介して前記移動体コントローラに直接送信する工程と、
２）前記情報を処理し、該処理情報を前記移動体ローバに備えることが可能な、前記無線通信ネットワークと関連付けられるアプリケーション・サーバへ送信する工程と、
３）前記情報を処理し、該処理情報を前記移動体コントローラに備え、更に、前記処理情報を前記コントローラに送信することが可能な、前記無線通信ネットワークと関連付けられるアプリケーション・サーバへ送信する工程と、
４）前記情報を、該情報を処理することなく直接、前記情報が処理されることになる前記移動体コントローラに直接送信する、前記無線通信ネットワークと関連付けられるアプリケーション・サーバへ送信する工程とから成り、
前記移動体コントローラは、前記移動体ローバの前記移動体コントローラに対する相対的な空間関係を判定することを可能にされることを特徴とするシステム。
【請求項４１】
請求項４０記載のシステムであって、前記コントローラの無線位置特定モジュールと前記ローバの無線位置特定モジュールが、位置測定情報を、前記ＧＰＳと地上ベースの位置特定技術ソースとの何れか１つからか、前記ＧＰＳと地上ベースの位置特定技術ソースとの両方から受信することを可能にされることを特徴とするシステム。
【請求項４２】
請求項４０記載のシステムであって、前記コントローラ及び前記ローバが、該コントローラ及び該ローバの位置を計算するよう、共通の信号を位置特定技術ソースから観測することを特徴とするシステム。
【請求項４３】
請求項４０記載のシステムであって、
前記コントローラは、
該コントローラのヘディングを備えるようコンパスを装備しているか、
前記コントローラのヘディングを前記コントローラの動きから備えるか、前記ローバの前記コントローラに対するベアリングと、前記ローバの前記コントローラに対するベアリングと前記ローバまでの距離との両方との両方を用いることを可能にし、かつ、前記ローバの前記コントローラに対するベアリングと、前記ローバの前記コントローラに対するベアリングと前記ローバまでの距離との両方との何れかを計算し、表示することを可能にされることを特徴とするシステム。
【請求項４４】
請求項４０記載のシステムであって、前記コントローラは、前記ローバとの無線通信リンクを設定し、前記ローバの位置の情報を前記無線位置特定モジュールから取得するコマンドの選択を含む探索機能を有するようプログラムされ、前記コントローラは更に、前記ローバの前記コントローラに対する前記相対的な空間位置と前記コントローラ及び前記ローバの地図上の絶対位置とをコマンドによって算出するよう更にプログラムされ、前記コントローラ及び前記ローバの前記相対的な空間位置と前記絶対的な地図位置とのうちの選択される１つが、ユーザによる選択によってディスプレイ上に表示されるよう利用可能であることを特徴とするシステム。
【請求項４５】
請求項４０記載のシステムであって、前記コントローラは位置測定情報を無線位置特定システムから受信し、前記ローバは位置測定情報を同じ無線位置特定システムから受信し、前記ローバは、前記情報を比較して前記ローバ及び前記コントローラの前記相対的な空間位置を備える、前記無線通信ネットワークと関連付けられる前記コントローラとネットワーク・サーバとの一方に位置測定情報を送信することを特徴とするシステム。
【請求項４６】
請求項４０記載のシステムであって、前記無線位置特定システムが衛星無線位置特定システムであることを特徴とするシステム。
【請求項４７】
請求項４０記載のシステムであって、前記コントローラ及び前記ローバは共通のソースからの位置測定情報を用いることを特徴とするシステム。
【請求項４８】
移動体ローバを移動体コントローラから位置特定し、追跡する方法であって、該移動体ローバ及び該移動体コントローラは、前記移動体ローバ及び前記移動体コントローラとの間で通信するよう通信ネットワークとともに動作可能であり、前記コントローラの位置の計算と前記ローバの位置の計算とに適用可能な特定の位置関連測定データを受信し、送信するよう、少なくとも１つの位置特定技術ソースとともに動作可能であり、
前記ローバに対する前記コントローラからの信号によって前記ローバを位置特定し、追跡する手順を開始する工程と、
前記ローバ及び前記コントローラで、位置特定技術ソースからの位置関連測定データの受信を開始する工程と、
前記ローバの位置の計算を可能にすることになる位置関連測定データを、前記通信ネットワークを介して前記ローバから、前記通信ネットワークに関連付けられ、多くのローバ及びコントローラからのそのようなデータを受信し、処理することを可能にされるアプリケーション・サーバに送信する工程と、
前記コントローラの位置の計算を可能にすることになる位置関連測定データを、前記通信ネットワークを介して前記コントローラから、前記アプリケーション・サーバに送信する工程と、
前記ローバの前記コントローラに対する相対的な空間位置を判定するのに用いる対象の、前記ローバ及び前記コントローラからの位置測定データの最も共通的なソース群を前記アプリケーション・サーバで判定する工程と、
位置測定データの前記最も共通的な群を用いて、前記ローバの前記コントローラに対する相対的な空間位置情報と、前記ローバ及び前記コントローラの絶対位置とを、特別にプログラムされる計算機構成要素で算出する工程と、
前記コントローラのヘディングを判定する手段を用いることによって、前記コントローラ内で、前記コントローラの該ヘディングを判定する工程と、
前記コントローラ内で前記ローバの前記コントローラに対する前記相対的な空間位置情報を用いて、ディスプレイによって、前記ローバの前記コントローラに対するベアリングを提示し、絶対位置が算出されている場合、前記ローバの地図上か前記ローバと前記コントローラとの両方の地図上に絶対位置を表示する工程とを備え、ベアリングの前記表示と、前記地図表示が代替的に選択可能であることを特徴とする方法。
【請求項４９】
請求項４８記載の方法であって、更に、位置測定データの前記判定される最も共通的な群が前記コントローラに送信され、該コントローラは前記計算機構成要素を有し、前記ローバの前記コントローラに対する前記相対的な空間位置を前記コントローラで算出し、該コントローラ及び該ローバの絶対位置を前記コントローラで算出することを特徴とする方法。
【請求項５０】
請求項４８記載の方法であって、前記ローバ及び前記コントローラの位置を地図上に表示するよう、前記ローバ及び前記コントローラの緯度及び経度を前記コントローラで算出する工程を更に備えることを特徴とする方法。
【請求項５１】
請求項４８記載の方法であって、前記位置特定技術がＧＰＳであり、前記アプリケーション・サーバが、前記ローバ及び前記コントローラによって追跡される、ＧＰＳ衛星の最も共通的な群を判定することを特徴とする方法。
【請求項５２】
請求項４８記載の方法であって、ＡＧＰＳソースからの支援を前記ローバ及び前記コントローラが受け、用いることを可能にする工程を更に備えることを特徴とする方法。
【請求項５３】
請求項４８記載の方法であって；
前記通信ネットワークと関連付けられる、特別にプログラムされるコンピュータ構成要素を備えて、前記アプリケーション・サーバによって判定される、前記ローバの前記コントローラに対する前記相対的な空間位置の位置測定データの前記最も共通的な群からの計算を行い、地図表示に実施される場合には更に、前記ローバ及び前記コントローラの絶対位置の位置測定データの前記最も共通的な群からの計算を行う工程を更に備えることを特徴とする方法。
【請求項５４】
請求項４８記載の方法であって、前記コントローラと前記ローバとの両方が、地上ベースの位置特定技術ソースから前記コントローラと前記ローバとの位置関連測定データを取得することを特徴とする方法。
【請求項５５】
請求項４８記載の方法であって、
地図表示が動作可能にされる場合、前記ローバの連続した位置判定を用いて、前記地図上で前記ローバの位置の履歴を示す一連の標識を表示する工程を更に備えることを特徴とする方法。
【請求項５６】
請求項４８記載の方法であって、前記コントローラ上に、
前記ローバの移動の速度と、
ローバの前記移動体コントローラに対する高度と、
前記ローバの地理座標とのうちの１つ又は複数のものを更に表示することを特徴とする方法。
【請求項５７】
請求項４８記載の方法であって、前記コントローラ及び前記ローバが、地上ベースのトランシーバからの時間遅延又は時間差を測定するよう企図された携帯電話ハンドセットを備え、前記コントローラ及びローバが、同じ特定時間で共通的に観測されるトランシーバ信号からの情報を用いて相対的な空間位置を備えることを特徴とする方法。
【請求項５８】
請求項４８記載の方法であって、ＡＯＡ位置特定技術を用いる工程を更に備えることを特徴とする方法。
【請求項５９】
請求項４２記載のシステムであって、前記コントローラは、前記ローバとの無線通信リンクを設定し、前記ローバの位置の情報を前記無線位置特定モジュールから取得するコマンドの選択を含む探索機能を有するようプログラムされ、前記コントローラは更に、前記ローバの前記コントローラに対する相対的な空間位置と前記コントローラ及び前記ローバの地図上の絶対位置をコマンドによって算出するようプログラムされ、前記コントローラ及び前記ローバの前記相対的な空間位置と絶対的な地図位置とのうちの選択される１つが、ユーザによる選択によってディスプレイ上に表示されるよう利用可能であることを特徴とするシステム。
【請求項６０】
請求項４２記載のシステムであって、前記コントローラは位置測定情報を無線位置特定システムから受信し、前記ローバは位置測定情報を同じ無線位置特定システムから受信し、前記ローバは、前記情報を比較して前記ローバ及び前記コントローラの相対的な空間位置を備える、前記無線通信ネットワークと関連付けられる前記コントローラとネットワーク・サーバとの一方に位置測定情報を送信することを特徴とするシステム。
【請求項６１】
請求項４２記載のシステムであって、前記無線位置特定システムが衛星無線位置特定システムであることを特徴とするシステム。
【請求項６２】
請求項４６記載のシステムであって、前記コントローラは、該コントローラのヘディングを；
１）コンパスと、
２）前記コントローラのヘディングを前記コントローラの移動から取得することを可能にされる前記コントローラと、
３）コンパス及び、前記コントローラのヘディングを前記コントローラの移動から取得することを可能にされる前記コントローラ、
とのうちの１つによって得ることができ、前記コントローラは、前記ローバの前記コントローラに対するベアリングと、前記ローバの前記コントローラに対するベアリングと前記ローバまでの距離との両方との何れかを算出し、表示することを可能にされることを特徴とするシステム。
【請求項６３】
請求項６２記載のシステムであって、前記無線位置特定システムが少なくともＧＰＳであり、前記コントローラが該コントローラのヘディングを、移動によって、順次のＧＰＳ位置測定情報によって得ることができることを特徴とするシステム。
【請求項６４】
請求項４７記載のシステムであって、前記コントローラ及び前記ローバの無線位置特定モジュールが、位置測定情報を、ＧＰＳと地上ベースの位置特定技術ソースとの何れかと、前記ＧＰＳと地上ベースの位置特定技術ソースとの両方とのうちの一方から受信することを可能にされることを特徴とするシステム。
【請求項６５】
請求項４７記載のシステムであって、前記ローバとの無線通信リンクを設定し、前記ローバの位置の情報を前記無線位置特定モジュールから取得するコマンドの選択を含む探索機能を有するようプログラムされ、前記コントローラは更に、前記ローバの前記コントローラに対する相対的な空間位置と前記コントローラ及び前記ローバの地図上の絶対位置とをコマンドによって算出するようプログラムされ、前記コントローラ及び前記ローバの前記相対的な空間位置と絶対的な地図位置とのうちの選択される１つが、ユーザによる選択によってディスプレイ上に表示されるよう利用可能であることを特徴とするシステム。
【請求項６６】
請求項４７記載のシステムであって、前記コントローラは位置測定情報を無線位置特定システムから受信し、前記ローバは位置測定情報を同じ無線位置特定システムから受信し、前記ローバは、前記情報を比較して前記ローバ及び前記コントローラの相対的な空間位置を備える、前記コントローラと、前記無線通信ネットワークに関連付けられるネットワーク・サーバとの一方に位置測定情報を送信することを特徴とするシステム。
【請求項６７】
請求項４７記載のシステムであって、前記無線位置特定システムが衛星無線位置特定システムであることを特徴とするシステム。
【請求項６８】
請求項５１記載の方法であって、ＡＧＰＳソースからの支援を前記ローバ及び前記コントローラが受け、用いることを可能にする工程を更に備えることを特徴とする方法。
【請求項６９】
請求項６８記載の方法であって、前記ローバ及び前記コントローラの位置を地図上に表示するよう、前記ローバ及び前記コントローラの緯度及び経度を前記コントローラで算出する工程を更に備えることを特徴とする方法。
【請求項７０】
請求項６８記載の方法であって、
前記コントローラは、
該コントローラのヘディングを備えるようコンパスを装備しているか、
前記コントローラのヘディングを前記コントローラの動きから備えるか、前記ローバの前記コントローラに対するベアリングと、前記ローバの前記コントローラに対するベアリングと前記ローバまでの距離との両方との両方を用いることを可能にし、かつ、前記ローバの前記コントローラに対するベアリングと、前記ローバの前記コントローラに対するベアリングと前記ローバまでの距離との両方との何れかを計算し、表示することを可能にされることを特徴とする方法。
【請求項７１】
請求項７０記載の方法であって、ＧＰＳヘディング情報によってコンパスを校正する工程を更に備えることを特徴とする方法。
【発明の詳細な説明】
【技術分野】
【０００１】
本発明は、ＧＰＳなどの無線測位システムを用いる追跡システムと、携帯電話などの無線通信とに関する。
【背景技術】
【０００２】
集中し、静止している装置によって行われる追跡機能を伴うシステムが存在する。そのようなシステムの例は、米国特許公報第５，５９４，４２５号、第５，３１２，６１８号及び第５，０４３，７３６号に示されている。通常の場合、目標の位置情報は監視局に送信し、監視局では、情報を処理し、それに応じて措置を講じる。これに対する変形は、米国特許公報第５，３８９，９３４号に示す。この変形は、サーチャ／コントローラが移動性を有するものであることを可能にする。一実施例では、記載されているシステムは、電話によって呼び出されるとアクティブ状態になり、その位置の音声説明を中継し、次に非アクティブ状態になるローバであり、別の実施例は、目標の方向に指し示す、矢印表示を備えるが、本発明に用いる特定の空間関係の算出を利用するものでない。
【０００３】
現在、携帯電話機のユーザが「９１１」の緊急呼び出しを行うことができ、ユーザが対話する必要が何らなしで携帯電話機を位置特定することを可能にすることになる位置特定技術を備えているシステムが存在することになるということを想定する、Ｅ９１１と呼ばれる概念を検討・実施中である。位置特定技術、携帯電話ネットワーク及び（場合によってはハンドセットと呼ばれる）携帯電話機によって、携帯電話機の位置を判定し、応答する緊急サービスに通信することが可能になる。数多くの位置特定の技術及び標準が現在、Ｅ９１１の機能の実施のみならず、他の目的でも、一般的に、無線ネットワークに関して検討・実施中であり、特に、携帯電話ネットワークに関して検討・実施中である。
【０００４】
多くの論文、発表及び報告書が、これらの位置特定技術、それらが、無線ネットワーク、特に携帯電話ネットワーク、とともに動作する方法、それらの長所・短所、及びそれらが有用なサービスを備え得る方法を記載している。多くのそのような文献を見つけるには、簡単なインターネット検索を行うことで十分である。それらの一部としては、以下のものがある：
Ｇｏｒａｎ  Ｍ．  Ｄｊｕｋｕｎｉｃ  及び  Ｒｏｂｅｒｔ  Ｅ．  Ｒｉｃｈｔｏｎによる「Ｇｅｏｌｏｃａｔｉｏｎ  ａｎｄ  Ａｓｓｉｓｔｅｄ−ＧＰＳ」と題する、Ｌｕｃｅｎｔ  Ｔｅｃｈｎｏｌｏｇｉｅｓ社によって公表されたホワイト・ペーパー。この文献には、種々の地球測位技術の特に有用な記述がみられる。
【０００５】
ＱＵＡＬＣＯＭＭ  ＳｎａｐＴｒａｃｋ社によるホワイト・ペーパーである「Ｌｏｃａｔｉｏｎ  Ｔｅｃｈｎｏｌｏｇｉｅｓ  ｆｏｒ  ＧＳＭ，  ＧＰＲＳ  ａｎｄ  ＵＭＴＳ  Ｎｅｔｗｏｒｋｓ」。
【０００６】
雑誌Ｃｏｍｐｕｔｅｒにおいて西暦２００１年２月に公表された、Ｌｕｃｅｎｔ  Ｔｅｃｈｎｏｌｏｇｉｅｓ社Ｂｅｌｌ  ＬａｂｏｒａｔｏｒｉｅｓのＤｊｕｋｕｎｉｃ  及び  Ｒｉｃｈｔｏｎによる「Ｇｅｏｌｏｃａｔｉｏｎ  ａｎｄ  Ａｓｓｉｓｔｅｄ−ＧＰＳ」。
【０００７】
ＧＰＳＷｏｒｌｄにおいて西暦２００２年３月１日に公表された、ＬａＭａｎｃｅ，  ＤｅＳａｌａｓ及びＪａｒｖｉｎｅｎによる「Ａｓｓｉｓｔｅｄ  ＧＰＳ：  Ａ  Ｌｏｗ−Ｉｎｆｒａｓｔｒｕｃｔｕｒｅ  Ａｐｐｒｏａｃｈ」。
【０００８】
ホワイト・ペーパーとして西暦２００１年８月１０日に公表された、Ｍａｒｋ  Ｍｏｅｇｌｉｎ  ａｎｄ  Ｈａｒｖｅｙ  Ｋｒａｓｎｅｒによる「Ａｎ  Ｉｎｔｒｏｄｕｃｔｉｏｎ  ｔｏ  ＳｎａｐＴｒａｃｋ  Ｓｅｒｖｅｒ−Ａｉｄｅｄ  ＧＰＳ  Ｔｅｃｈｎｏｌｏｇｙ」。
【０００９】
Ｎｏｋｉａ社によって公表された、Ｊａｒｉ  Ｓｙｒｊａｒｉｎｎｅによる「Ｓａｔｅｌｌｉｔｅ−Ｂａｓｅｄ  Ｐｏｓｉｔｉｏｎｉｎｇ  Ｔｅｃｈｎｉｑｕｅｓ」。
【００１０】
ＳｎａｐＴｒａｃｋ社によって公表された「Ｈｙｂｒｉｄ  Ｗｉｒｅｌｅｓｓ  Ａｓｓｉｓｔｅｄ  ＧＰＳ  Ａｒｃｈｉｔｅｃｔｕｒｅ」。
【００１１】
ＴＩＡ／ＥＩＡによって西暦２０００年６月６日によって公表された「Ａ  Ｐｏｓｉｔｉｏｎ  Ｄｅｔｅｒｍｉｎａｔｉｏｎ  Ｓｅｒｖｉｃｅ  Ｓｔａｎｄａｒｄ  ｆｏｒ  Ａｎａｌｏｇ  Ｓｙｓｔｅｍｓ」（ＴＩＡ／ＥＩＡ−５５３−Ａも参照。）。
【００１２】
ＴＩＡが技術標準３ＧＰＰ２  Ｃ．Ｓ００２２−０−１として公表した「Ｐｏｓｉｔｉｏｎ  Ｄｅｔｅｒｍｉｎａｔｉｏｎ  Ｓｅｒｖｉｃｅ  Ｓｔａｎｄａｒｄ  ｆｏｒ  Ｄｕａｌ  Ｍｏｄｅ  Ｓｐｒｅａｄ  Ｓｐｅｃｔｒｕｍ  Ｓｙｓｔｅｍｓ」。
【００１３】
ＴｒｕｅＰｏｓｉｔｉｏｎ社によるニュース・リリースである「Ｈｉｇｈ  ｐｅｒｆｏｒｍａｎｃｅ  ｗｉｒｅｌｅｓｓ  ｌｏｃａｔｉｏｎ  ｔｅｃｈｎｏｌｏｇｙ」。
【００１４】
Ｒｏｂｅｒｔ  Ｌ．  Ｆｒｅｎｃｈ及びＣｌｅｍｅｎｔ  Ｊ．  Ｄｒｉｓｃｏｌｌによる「ＬＯＣＡＴＩＯＮ  ＴＥＣＨＮＯＬＯＧＩＥＳ  ＦＯＲ  ＩＴＳ  ＥＭＥＲＧＥＮＣＹ  ＮＯＴＩＦＩＣＡＴＩＯＮ  ＡＮＤ  Ｅ９１１」、西暦１９９６年１月２２日−２４日にＳａｎｔａ  Ｍｏｎｉｃａ  ＣＡで開催されたＩＯＮ  Ｎａｔｉｏｎａｌ  Ｔｅｃｈｎｉｃａｌ  Ｍｅｅｔｉｎｇ用に作成された論文。これらの参照文献の内容は全て、本明細書及び特許請求の範囲に援用する。
【００１５】
ＴＩＡの（主にＧＳＭネットワークを扱う）３ＧＰＰ及び（ＣＤＭＡネットワークを扱う）３ＧＰＰ２などの適切な標準化機関に関するインターネット検索によって、進化する技術標準のプロセスに関する情報が備えられることになる。そのような有用な記述資料が入手可能であるため、本発明の、システムの構成及び方法の動作を理解するうえで必要な程度まで説明する以外には網羅的に説明する必要がないことになる。
【００１６】
位置特定の技術の一部としては、アシストＧＰＳ（ＡＧＰＳ）、到着時間差（ＴＤＯＡ）を用いたネットワーク無線三角法、高度順方向リンク三辺測量（ＡＦＬＴ）、強化観測時間差法（ＥＯＴＤ）及び／又は到着角（ＡＯＡ）に加えて、利用可能な測定全てを衛星ベースの信号であっても地上ベースの信号であっても利用する他の位置特定技術によって強化されたＡＧＰＳなどのハイブリッドの解決策がある。本明細書及び特許請求の範囲の目的で、「地上ベースの位置特定技術」の句は、地上ベースの送信器から得られる測定を利用して位置の解決策を形成する、ＡＦＬＴ、ＴＤＯＡ、ＥＯＴＤ、ＡＯＡやＵＴＤＯＡなどの何れかの位置特定技術を規定するのに用いることとする。更に、明らかな記載が別途示されていない限り、「ｐｏｓｉｔｉｏｎ」及び「ｌｏｃａｔｉｏｎ」の語は区別なく用いられ、同義であるものとみなす。
【発明の開示】
【発明が解決しようとする課題】
【００１７】
本発明は、コントローラ及びローバが通信ネットワークを介して通信し、コントローラのユーザがローバの相対的な空間位置の表示又はローバの絶対的な地図位置の表示を選択することが可能なように、コントローラに対するローバの相対的な空間位置と地図上のローバ及びコントローラの絶対的な位置とをコントローラが判定することが可能なように、コントローラ及びローバの位置の計算に適用可能な位置関連測定データを取得し、伝送するのに位置技術を用いる、移動ローバ装置を移動コントローラ装置から位置特定し、追跡するシステム及び方法に存在する。コントローラからローバまでの距離、ローバの速度、及びローバの位置の履歴を含む、ローバに関する他の情報は、判定し、コントローラに備えることが可能である。
【００１８】
本発明は更に、少なくとも１つのローバ装置を移動コントローラ装置から位置特定し、追跡する単独測位ＧＰＳとして表すことが可能なシステム及び方法に存在し、移動コントローラ装置は無線通信モジュール及びＧＰＳモジュールを有し、コントローラは、無線通信装置を介してローバ装置からＧＰＳ位置情報を受信するよう特別にプログラムされるコンピュータも有し、それ自体のＧＰＳモジュールを用いて、ローバ装置の相対的な位置及びベアリングを算出し、相対的なベアリング、距離及び高度の差か、利用可能地図データを用いたコントローラ及びローバの位置を示す、コントローラ上のディスプレイを用いる。無線通信モジュールは、コントローラとローバがお互いに通信することを可能にし、好ましくは、携帯電話ネットワークである。ローバによってコントローラに送信されるＧＰＳ情報は、緯度・経度などの処理地図座標データの形式であってもよく、擬似距離データなどの未処理の生測定データの形式であってもよい。好ましい実施例では、コントローラ及びローバは、同じＧＰＳ衛星を追跡し、これによって、コントローラ及びローバの相対的な空間位置に加えてそれらの絶対的な地図位置を備える高精度の結果が可能である。
【００１９】
本発明は更に、地上ベース位置特定技術やＧＳＰなどの位置特定技術が、測定データを収集し、算出を行い、ローバ及びコントローラのハンドセットに対して支援データを備え、それらに算出済位置データ又は生の位置データを送信することが可能なネットワーク構成要素によって支援される、システム及び方法の形態において存在する。
【００２０】
本発明は、ローバの位置の履歴を示し、ローバの高度及び速度や、他の有用な情報を示すことなどの、コントローラにおいて用いることが可能な特徴を含む。
【００２１】
コントローラ装置は、「探索」処理を起動させて、選択されるローバの、コントローラのＧＰＳ位置に対するＧＰＳ位置を得るよう、記憶されているローバ・ディレクトリからの特定のローバを、表示される選択肢からユーザが選択することを可能にする。更に、ローバ装置は、その位置の記憶履歴を有するので、ローバ位置の履歴的証跡をコントローラに送信し、表示することが可能である。更に、特定のアラームをコントローラからローバに対してか、直接、ローバに対してプログラムし得るので、ローバがアラーム限度を違反すると、ローバは自動的にコントローラに通知し、コントローラのディスプレイは、ローバの相対位置又は絶対位置を、アラームの根拠についての信号とともに示す。アラームは、境界又は半径を通過することなどの空間的なものであってもよく、ローバがアラーム限度よりも高い速度で移動し始める場合に速度限度で起動させてもよい。更に、ローバには、手動で起動されるアラームを装備してコントローラに通知してもよい。
【００２２】
よって、本発明は１つの用途として、子どもの、位置、移動の証跡や、アラーム限度違反を定期的に判定して、子どもの最新状況を把握するということがある。
【００２３】
ＧＰＳを用いることは前述したが、他の無線測位システムを用いることが可能である。これには、ＧＡＬＩＬＥＯ（ガリレオ）、ＧＮＳＳ、ＬＯＲＡＮ（ローラン）、ＧＬＯＮＡＳＳ他が含まれる。
【課題を解決するための手段】
【００２４】
本発明の更なる実施例は、携帯電話ネットワークとともに動作する位置特定技術を含むか、この位置特定技術とともに用いる。そのようなシステムは：Ｅ９１１の要求事項を実施することなどの他の目的で開発中であり；ローバのコントローラに対する相対的な空間位置と、コントローラ及びローバの絶対位置とをコントローラのディスプレイ上に選択的に表示する特徴を含む、位置情報を備えて、コントローラがローバを位置特定し、追跡することを可能にするよう形成し得る。通常、絶対位置は地図上にあることになるが、絶対位置は、座標や、緯度・経度、道路の交差点、住所、近傍などを与えることによることなどの他の形式で表し、表示することが可能である。
【００２５】
特定の実施例では、本発明は、通信ネットワークとともに動作するアプリケーション・サーバと、ＰＤＥなどのその関連した位置特定構成要素とを用いる。アプリケーション・サーバの主な目的は、ＧＰＳ衛星の場合におけるＰＲＮ番号や地上ベースの技術の場合における送信アンテナ識別情報などのソース表示子を含む、コントローラの位置測定データもローバの位置測定データも直接的又は間接的に取得するというものである。更に、アプリケーション・サーバはコントローラ及びローバからの送信をフィルタリングして最も共通的な測定データ源を判定する。最も共通的なソースが識別されると、コントローラ及びローバの位置が、アプリケーション・サーバによって判定される最も共通的なソースを用いて判定される。当然、完全な共通性によって最善の結果がもたらされるが、このことは常に可能な訳でないので、アプリケーション・サーバは、適切な位置を計算するよう、十分な数の位置データ源を規定するだけでなく、共通性を有する最善の選択を用いる。
【００２６】
本発明は、使用される通信ネットワークによる通信において展開される特別にプログラムされるアプリケーション・サーバをハンドセットに適切に装備したユーザ向のサービスにおいて実施することが可能である。アプリケーション・サーバは、衛星ベースの測定データ源又は地上ベースの測定データ源の最善の共通性を得るよう、フィルタリングを行う。
【００２７】
ローバのコントローラに対する高精度な相対位置特定を達成する別の方法は、コントローラで得られ、ローバで得られる測定に施される測定から相対差分修正を計算するというものである。このことは、コントローラで得られる測定からの擬似距離残差を用いて修正を作成し、修正をローバ測定に更に施すことによって行われる。修正は、コントローラ内又はネットワーク内で生成することが可能である。
【発明を実施するための最良の形態】
【００２８】
本発明の方法及び装置は、人であり得る、価値のあるものをコマンドによって、高精度で人が探索することを可能にすることを主なアプリケーションとして意図している。例示的な目的としては、親が子どもを探索することを可能にすることなどがある。
【００２９】
システムは、個人用ハンドヘルド型装置（コントローラ）と、小型の、コンパクトで、選択的に隠匿可能な装置（ローバ）とから構成される。各コントローラ装置は、１つ又は複数のローバ装置の正確な位置を確かめる機能をユーザに与える。本明細書及び特許請求の範囲記載の、システムの機能及び特徴の全てに加えて、各コントローラ装置が、何れかのローバを位置特定し、探索するのに必要なリアルタイム情報全てをユーザに備えることが可能な、それだけで完備した移動体装置であるという点でシステムは特有なものである。詳細説明ではコントローラがローバを位置特定する処理を説明しているが、システムは、コントローラが１つ又は複数の他のコントローラを探索することをサポートすることも可能である。したがって、本明細書及び特許請求の範囲使用の「ローバ」の語は、文脈によって別なものが必要でない限り、単にローバとして装備される装置やコントローラとしてもローバとしても機能するよう装備される装置を含み得るローバとして機能するハンドセットを意味する。更に、「コントローラ」と「コントローラ装置」と「ローバ」と「ローバ装置」の各々は、本明細書及び特許請求の範囲では同義に用いられ、区別は何ら意図するものでない。
【００３０】
コントローラ装置は、携帯電話モジュールなどの無線通信モジュール、ＧＰＳ受信器／プロセッサ・モジュールなどの無線位置特定受信器／プロセッサ・モジュール、電子コンパス、ディスプレイ、コンピュータとそれを動作させる関連エレクトロニクスを含むいくつかの主要なサブ構成部分を備える。コントローラは、３つの別個でありかつ、インタアクティブでかつ有用な機能を備える。第１に、コントローラ装置は、通常の機能及び特徴を全て備える完全に動作する携帯電話である。第２に、コントローラ装置は、それ自体の位置と、ローバ装置の位置とを道路地図上に表示することが可能である。第３に、コントローラ装置は、ベアリングの矢印と距離とを表示する、何れかのローバの相対的な空間位置を備える。ローバの速度、コントローラに対するローバの高度や、ローバの先行する位置の証跡などの他の情報もコントローラ上に表示することが可能である。
【００３１】
システムをローバの位置指定器として動作させるよう、ユーザはコントローラ画面上で探索機能を選択する。画面は、予めプログラムされる、ローバ名や、携帯電話番号などの位置アドレスを全て表示する。ユーザは、対話画面上で、特定の所望のローバを選択し、ゴーをタッチする。コントローラ装置は、携帯電話によるローバ装置との通信を開始する。各装置のＧＰＳや他の位置特定モジュールを用いて、コントローラ装置はローバとのその相対的な空間関係を判定する。１つの表示モードでは、コントローラ装置は、道路レベルの地図上にローバ装置の位置を表示し、これは、ズーミング及びスクローリングを行うことが可能である。ローバ装置からの連続データによって、ローバ装置の位置は、ＧＰＳ情報がローバ装置からコントローラ装置に送信されるにつれ、地図上で追跡される。別のディスプレイでは、ローバ装置のコントローラに対する相対的なベアリング位置が、情報が付随した矢印として表示される。この矢印の機能を有用にするために、コントローラ装置に対するヘディングを設定する必要がある。ヘディングは、移動のないコンパスを用いることによって開始ベースで確かめることが可能である。更に、周知のように、ＧＰＳは受信器が移動している際にしかヘディングを備えることが可能でない。矢印は、ローバのコントローラに対するベアリングを、そのＧＰＳや他の位置センサ・データ及び任意的なディジタル・コンパス・データに基づいた、ローバ装置の位置、コントローラ装置の位置及びコントローラ装置のヘディングを考慮して表示する。矢印とともに表示される情報は好ましくは、コントローラ装置からローバ装置までの距離と、ローバ装置の速度と、ローバ装置のコントローラ装置に対する高度と、ローバ装置のデータが確かめられた時点と、緯度、経度及び仰角などのローバ装置の座標系の位置とを含む。矢印の表示は、指向性を有する矢印がコントローラ装置のユーザにとって有用である、コントローラ装置及びローバ装置が近傍にあるなど比較的近くにある場合に主に用いる。これらの表示を実施するよう、コントローラ装置は、最高、１メートルの精度での高精度でコントローラ装置とローバ装置との相対的な空間関係を判定することを可能にするＧＰＳデータを受信する。この高精度の相対的な空間関係を達成するために、ローバ装置及びコントローラ装置は、同じＧＰＳ衛星からの、擬似距離位相及び搬送波位相のＧＰＳ測定、又は擬似距離測定のみを収集し、共有する。ＧＰＳ測位における誤差の多くは、時間及び空間において近くで測定を行う２つの受信器に共通の誤差が理由で生じる。したがって、２つの受信器のＧＰＳ測定が分かっていることによって、共通の誤差を除去することを可能にし、よって、２つの装置の相対的な空間定位の高精度の算出を可能にすることに加えて、装置の絶対位置がよく分かることを可能にする。任意的には、ベアリング及び距離の情報を可聴的に備えることが可能である。
【００３２】
ローバ装置と移動体コントローラ装置との間の高精度の相対位置を得る方法及び装置は、公知の手法を用いて、すなわちＧＰＳによって、実施し得る。ローバとコントローラがお互いにかなり近い場合、それらの衛星群の受信は、大いに重複する可能性が高く、場合によっては、完全に共通する可能性が高い。それらの間の距離が大きくなるにつれ、共通性は低くなり得る。使用上、好ましい方法は、コントローラが、時間タギングされた、擬似距離位相及び搬送波位相の測定又は、擬似距離の測定のみを衛星単位でローバがコントローラに送信させる旨をローバに命じることになり、コントローラが、共通的に追跡している衛星からの情報のみを用いることになるというものである。この情報は、コントローラ装置において用いてコントローラとローバとの間の高精度の有向距離を計算することになる。この情報は、１つがコントローラ用で１つがローバ用の２つの点又は位置表示子としてコントローラ上の地図上に表示することが可能である。更に、ローバは、ローバ上に記憶されている先行情報から導き出すことが可能な時間順の位置によって追跡することが可能である。
【００３３】
任意的な手順としては、コントローラによって追跡されている、衛星の全部又は一部などの特定の衛星部分集合についてのみデータを送信することをコントローラがローバに要求するということがあるものがある。
【００３４】
別の任意的な手順としては、コントローラがその衛星群情報をローバに送信し、ローバが計算を行い、共通の衛星のみを用いてその算出位置を返信するというものがある。
【００３５】
別の選択肢としては、どの衛星を追跡しているかをコントローラがローバに通知し、ローバが、最善のＧＤＯＰを備えている４つの共通の衛星からの情報を返信するというものがある。
【００３６】
別の実施例では、コントローラ装置には、ローバ装置のＧＰＳ履歴情報を送信することが可能であり、これは、表示地図上の一連の点として表示してもよく、コントローラ装置に関する一連の点としてのコントローラ装置位置を用いて、履歴的にも同時期的にも経時的にローバの移動の証跡を、表示中に示してもよい。
【００３７】
別の特徴としては、コントローラがローバ装置上の可聴のアラーム又はチャイムを起動させてローバを可聴的に探索することを容易にすることが可能であるという点がある。
【００３８】
別の特徴では、ローバ装置に設定される予め選択される限度又は境界の条件は、その限度又は境界の条件の違反又は超過がある場合に、コントローラ装置に対する通信と、アラーム信号とを自ら起動させ、自動的に、コントローラ装置とローバ装置との間の相対的な空間関係を表示するか、コントローラ装置とローバ装置との間の関係をマッピングする。携帯電話として、コントローラ装置はローバ装置との音声通信を確立することが可能である。
【００３９】
コントローラ装置は、コントローラ装置及びローバ装置の現時の位置について必要な地図データを有していない場合には、無線電話リンクを介して中央データベースをアクセスし、必要な地図データをダウンロードし、更に、ローバ装置の追跡を再開することが可能である。更に、通常アクティブなアラーム条件によって、システムを起動させてコントローラ装置上のローバを探索することが可能である。
【００４０】
例示的なアプリケーションでは、親がコントローラ装置を保有している一方で、ローバ装置は子どもが保有している。下記のように、コントローラ装置を操作する人は、ローバ装置を探索し、ローバ装置の相対的な空間位置又は絶対的な地図位置をディスプレイ上で見ることが可能である。下記のように、他の機能も利用可能である。
【００４１】
親又は同等の者がコントローラ装置を保有することになり、ローバ装置は１つ又は複数の子どもが保有することになるということを例示的なアプリケーションにおいて想定している。本発明の目的は不行跡の場合でも子どもの位置特定を可能にすることであるので、ローバ装置は超小型であってよく、好ましくは、隠匿されているものであるが、その使用の多くは、単に、子どもについて調べるか、迷子を見つけることを想定している。
【００４２】
動作可能にするには、少なくとも１つのコントローラ装置及び少なくとも１つのローバ装置が必要である。ローバ装置を追跡したい２人以上の人用などの複数のコントローラ装置が存在し得る。１人又は複数人数の子どもなどの人を追跡するのに必要な数のローバ装置が存在することになる。各コントローラ装置は、ローバ装置の全てを追跡してもよく、所望の場合、特定のローバ装置のみを追跡してもよい。自動ダイアルを行うよう、各ローバ装置の携帯電話番号が識別コードとともにコントローラ装置にプログラムされるセットアップ手順が実施される。更に、各ローバ装置は、コントローラ装置にダイアルするようプログラムされるか、２つ以上のコントローラ装置が存在する場合、それらに選択的又は自動的に特定の順序で通話するか同時にダイアルする。なお、基本システムは、（説明することとする「アラーム」手順の場合を除いて、）ローバ装置でシステムを動作する工程を何ら可能にしないものであり、そのような工程を行うことを何ら必要としないものである。したがって、ローバ装置の携帯電話トランシーバ（セルラ・トランシーバ）は、コントローラ装置の携帯電話トランシーバからのコマンドによって起動される。
【実施例】
【００４３】
図１及び２は、コントローラ装置モジュール及びローバ装置モジュールと、それらの相互関係との一般的な構成図を示す。コントローラ１０は、ＧＰＳ受信器モジュール１２、セルラ・トランシーバ・モジュール１４、ディスプレイ・モジュール１６及び、特別にプログラムされたＣＰＵ１８を含む制御エレクトロニクス・モジュールと、ディジタル・コンパス２０とを有する。ディスプレイ１６は好ましくは、種々のコマンド・オプションを、表示画面をタッチすることによって表示し、起動することが可能であるような対話ディスプレイである。非対話ディスプレイでは、コマンドの選択肢は、従来のボタン操作によって駆動させることが可能である。ソフトウェア・モジュールは、動作モード・モジュール２２、グラフィカル・モード・モジュール２４、及びローバに対するメッセージ２６を含む。ＣＰＵ１８の出力は、サーチ画面モジュール３０を動作する位置モジュール２８と、地図画面モジュール３４を動作するマッピング・モジュール３２とを含む。
【００４４】
ローバ装置３６は、ＧＰＳ受信器３８、セルラ・トランシーバ４０及び、特別にプログラムされたＣＰＵ４２を含む制御エレクトロニクス・モジュールを有する。装置及び方法の使用は、図３乃至図１１の流れ図に加えて図１２乃至図１５の画面図を参照すれば最もよく分かる。
【００４５】
図３を参照すれば、コントローラ装置は、開始５０として示す電源オン工程によって起動される。これによって、ディスプレイ５２が起動される。図１２に示すように、ホーム画面５４と呼ぶこのディスプレイは、電話５６と、探索５８と、出口６０と、（ホーム画面１２上ではミュートにすることとする）ホーム６２とのボタンを有する。ユーザは、これらのうちの１つを図３上の工程６４で選択する。電話を選択することによって、６８でのように、コントローラ装置と特定のローバ装置との間の通常の音声携帯電話としてか汎用の携帯電話として用いることが可能である。出口を選択することによってコントローラ装置を７０でのようにオフにする。探索を選択することによって７２でのように探索手順が開始される。
【００４６】
図４は、電話ボタン５６（図１２）がタッチされた場合の手順を示す。これによって、電話画面７４（図１３）が起動される。この電話画面は、スクロール可能な予めプログラムされた番号７６、上下スクロール・ボタン７８、番号を追加又は削除するメモリ・ボタン８０、通常の電話利用の場合に図１４の画面に進む手動ボタン８２、及び、ホーム画面（図１２）に戻るためのホーム・ボタン８４を有する。手動ボタン８２がタッチされる場合、図１４の画面９０が登場する。この画面は、タッチ・パッド９２、再コール・ボタン９４、クリア・ボタン９６、送信ボタン９８、終了ボタン１００及びホーム・ボタン１０２を有する。図１３及び図１４の画面は、番号をプログラムするためのもの（図１３）であり、コントローラ装置を音声携帯電話として用いるもの（図１４）である。図１４上のボタンは、通常の携帯電話で用いられるものである。
【００４７】
図３及び図１２では、ユーザが探索を選択する場合、本発明の探索手順が開始される。図１５に示す探索画面１１０がディスプレイ上に登場する。この画面は、垂直方向にスクロールさせてローバを選択してもよく、１１４に示すように水平方向にスクロールさせて、ゾーン・ステータスやゾーン半径などの予めプログラムされたアラーム基準をローバ毎に表示してもよい。
【００４８】
探索画面（図１５）のゴー・ボタン１１６は、図１６の詳細探索画面を起動させる。ゾーン起動ボタン１１８によって、ゾーン半径をプログラムし、起動させることが可能になる。ゾーン半径は、「ゾーン半径」で表示され、ローバ装置に通信され、記憶される。ローバ装置は、ゾーン半径を超える場合に、自動的に、コントローラ装置を呼び出し、アラームを鳴らすこと及び／又はアラームを表示させることを行うようプログラムされている。ゾーン・ステータスは、ゾーン・オプションがオンであるかオフであるかを示す。メモリ・ボタン１２０は、ゾーン半径の選択を記憶する。ホーム・ボタン１２２はディスプレイをホーム画面（図１２）に戻す。メモリ／プログラミング手順は、メモリ探索の流れ図（図６）に示す。
【００４９】
探索画面１１０が表示されると、図７に示す手順が実施される。スクロール可能な名前ウィンドウ１１２は、予めプログラムされた名前及び電話番号のリストを有する。ユーザは次にホーム、メモリ、又はゴーを選択する（１２４）。メモリ・ボタン１２０がタッチされると、メモリ探索手順が開始する（図６）。これによって、名前ウィンドウ１１２上でのプログラム又は削除が可能となる。
【００５０】
ゴー・ボタン１１６がタッチされた場合、図８の詳細探索手順が開始され、詳細探索画面１３０（図１６）が表示される。図８に示すように、詳細探索手順は、図１５の探索画面のゴー・ボタン１１６を事前にタッチして図１６の詳細探索画面を呼び出す１３２から開始する。
【００５１】
詳細探索画面１３０は、識別ウィンドウ１３２と、位置及びデータのウィンドウ１３４と、地理座標ウィンドウ１３６と、ステータス・ウィンドウ１３８と、ホーム１４０、センタ１４２、ブレッドクラム１４４、アラーム１４６、停止１４８及び地図１５０のボタンとを有する。
【００５２】
位置及びデータのウィンドウ１３４内では、矢印がローバ装置のコントローラ装置に対するベアリングを示す、ローバのコントローラに対する相対的な空間位置を特定するベアリング矢印１５４を示す。このことは、電子コンパス・モジュール（図１）を用いて達成されるか、あるいは、コントローラの動きを用いてそのヘディングをＧＰＳから判定して達成される。相対距離、相対高度、ローバの速度、及び時間も表示される。
【００５３】
ホーム・ボタン１４０をタッチすることによって、画面（図１２）に戻る。地図ボタン１５０をタッチすることによって図１７のＭＡＰ画面を呼び出し、この画面は、同じ地図上に存在するほど十分近い限り、地図上にコントローラ及びローバの位置を示すことになり、さもなければ、ローバは地図上に示されることになる。ブレッド・クランブ・ボタン１４４は地図ボタン１５０とともに用い、それによっても地図画面（図１７）を起動させることになり、コントローラ及びローバの位置を地図上に示すことになり、ブレッドクラム機能が起動されると、いくつかの先行ローバ位置を示すことになり、ローバの連続した周期的な位置を表示し続けることになる。地図画面１７は、矢印のアイコン又はボタン１５２を有し、起動されると、ディスプレイを詳細探索画面（図１６）に戻すことになる。種々の機能及び選択肢を、別個のボタンからではなくディスプレイから選択することが可能である。センタ・ボタン１４２は、ユーザがスクロールオフさせた場合に図１７の地図上の目標／ローバをセンタリングする。アラーム・ボタン１４６は、可聴的に探索し得るようにアラームをローバ上で起動させる。
【００５４】
更なる実施例
更なる実施例では、本発明は、コントローラ及びローバが接続される携帯電話ネットワークと一体化された位置特定技術又はそのような携帯電話ネットワークととともに動作する位置特定技術によって全部又は一部が備えられるか、そのような位置特定技術の支援によって備えられるコントローラ及びローバの位置によって実施することが可能である。更に一般的な場合には、無線ネットワークに加えて、（電気接続ネットワークに加えて光接続ネットワークを含む）有線ネットワークを含む何れかの通信ネットワークを想定し得る。
【００５５】
前述したように、本発明の重要な特徴としては、ローバのコントローラに対する高精度の相対的な空間位置の捕捉がある。以下の工程は、このことを行う好ましい方法を規定する。
【００５６】
第１の工程は、位置測定データの共通的なソースを位置特定技術から識別するというものである。ＧＰＳや他の衛星システムの場合、共通性があるのは、コントローラ及びローバによって追跡される衛星が共通であるという点である。コントローラ及びローバが至近である場合、ちょうど共通する衛星群を識別することが可能であるということが想定される。しかし、完全な共通性を得ることが可能でない場合が存在するので、一般的なケースとしては、装置のうちの一方が、他方によって用いられない衛星を用いることを要する場合でも最も共通的な衛星群を規定するということがある。当然、共通性が損なわれるにつれ、相対位置の精度のレベルを低減させてよい（がこれは必然的なものでない）。地上ベースの位置特定技術の場合、共通性は、一般的に地上ベースの信号ソースとして表す送信局を表す。
【００５７】
測定データの最も共通的なソースを識別すると、コントローラ用に１組とローバ用に１組との２組の測定データが存在することになる。
【００５８】
更に、算出を行って、ローバのコントローラに対する位置を判定する。共通的な測定データを使用することによって、ローバのコントローラに対する相対的な空間位置の判定及び表示が高精度のものになる。これらの算出によって、コントローラとローバとの間の、それらの間の相対高度を含む、弦を表す３次元ベクトルがもたらされる。ベクトルの振幅は、コントローラとローバとの間の距離である。
【００５９】
相対的な空間位置から導き出される探索矢印を表示することができるために、コントローラのヘディングを判定することを要する。このことは、いくつかの方法で行うことが可能である。電子コンパスを用いる方法の場合には、コントローラは移動していなくてよく、ＧＰＳを用いる場合には、ヘディングをＧＰＳデータからコントローラが移動するにつれて取得する。このヘディング情報は、コントローラからローバまでのベクトルとともに利用してコントローラ上のベアリング矢印の表示を可能にし、それによって、コントローラからのローバの方向が示される。更に、相対高度、相対距離、ローバ速度及び、位置測定データがローバによって捕捉された時点を含む他の情報が計算され、表示される。
【００６０】
測定データを用いれば、位置情報、緯度及び経度を算出することが可能である。これによって、コントローラ及びローバの位置を地図上に表示することが可能となる。
【００６１】
前述の記載からも以下の記載からも分かることになるように、システム及び方法の構成は、とりわけ、算出が行われる場所に基づいて変わってくる。この点で、算出タスクは１つの場所で全て行わなくてよく、むしろ、システムの種々の部分に分散させることが可能であるということが分かるものである。
【００６２】
図１０乃至１７を参照しながら前述したシステム及び方法の場合、算出は全て、ローバ内又はコントローラ内で行われる。この種のシステムは、ハンドセット・ベースのシステムとして表し得る。以下の種々の実施例では、算出を、通信ネットワークの一部か、さもなければ通信ネットワークに利用可能なコンピュータにおいて行い得るので、特定の算出はローバ内でもコントローラ内でもない場所で行うことが可能である。そのコンピュータは以降、独立したコンピュータであってよく、専用コンピュータでもあってよく、専用のアプリケーションが特定の計算を行うことを可能にした別の計算機能に一体化させてもよいアプリケーション・サーバとしても表す。
【００６３】
コントローラ及びローバは、種々の位置特定技術とともに動作可能であり、いくつかの代替的な構成において動作可能である。概して、これらの実施例は、衛星ベースの位置特定技術と地上ベースの位置特定技術との２つの分類の位置技術を有するものとみなし得る。必ずしも網羅的なものでないが、以下の更に具体的な分類を本発明の、適用可能な代替的な実施例として検討することが有用である：
１．  完全な単独測位ＧＰＳ：単独測位ＧＰＳの１つの形態として、上記のハンドセット・ベースの構成がある。別のものは、ローバ及びコントローラが如何なる支援もなく、ＧＰＳ衛星を捕捉して、その測定データを取得するサーバ・ベース構成を用いたものである。
【００６４】
２．  コントローラもローバもＡＧＰＳのみを用いるか、地上ベースの位置特定技術のみを用いる。
【００６５】
３．  コントローラとローバとの一方が独立した（単独測位）ＧＰＳを用いる一方、他方がＡＧＰＳを用いるハイブリッドのもの。
【００６６】
４．  コントローラもローバもＡＧＰＳと地上ベースの位置特定技術との組み合わせを用いるが、各々の信号ソースの最善の共通性を得る別のハイブリッドのもの。
【００６７】
５．  コントローラとローバとの一方が（ＡＧＰＳや単独ＧＰＳなどの）衛星ベースの位置特定技術を用い、他方が地上ベースの位置特定技術を用いる、共通的な測定ソースを用いることによって得られる利点を覆すことになる別のハイブリッドのもの。
【００６８】
一般的な実施例では、ローバ及びコントローラは、携帯電話ネットワークなどの通信ネットワークを介して相互に通信し、各々が、それらの位置を位置特定技術によって、判定させ、少なくともコントローラに備えさせる機能を有する。一実施例群では、位置情報は、携帯電話ネットワークを介して通信される情報によって排他的に備えられるか、携帯電話ネットワークを介して備えられる情報によって支援される。特に、コントローラ及びローバの高精度の相対的な空間位置は、通信ネットワークを介してコントローラ及びローバからの通信を受信することによって動作するアプリケーション・サーバによって達成される。この通信は、１つ又は複数の位置特定技術からコントローラ及びローバによって受信された位置測定データを備え、特にその位置測定データの正確な信号ソースを備える。更に、アプリケーション・サーバはコントローラ及びローバからの着信信号をフィルタリングして最も共通的な信号ソース群、好ましくは完全に共通的な信号ソースを判定する。ＧＰＳが位置特定技術である場合、コントローラ及びローバからの通信によって位置測定データのＰＲＮ番号が与えられるので、共通の衛星からの位置測定データを用いてコントローラの位置もローバの位置も算出することが可能である。地上ベースの位置特定技術の場合、共通の伝送アンテナが識別され、それからの測定データが用いられる。更に、ローバの位置がコントローラに備えられることによって、コントローラとローバとの間の相対的な空間位置関係が、特に、矢印がコントローラのディスプレイ上に表示される実施例において、ローバの相対的な方向を示し、ローバまでの距離も示す、探索機能などの、本発明の特別の機能を実施することが可能である。この実施例によって、上記特徴を実施することを可能にするよう、コントローラ及びローバの相対位置に加え、それらの絶対位置の十分に高い精度を備えることが可能である。
【００６９】
単独測位ＧＰＳの場合、コントローラ及びローバは、通常の自立的な方法でＧＰＳ衛星を捕捉し、更に、測定データを衛星から受信する。その測定データは、アプリケーション・サーバに送信され、そこでは、共通性に対するフィルタリングが行われる。残りの処理及びシステムの構成要素は、以下に詳細に説明する。
【００７０】
キャリア・ネットワークにおいて実施して位置ベースのサービスを備えるアシストＧＰＳ（ＡＧＰＳ）システムは、ＱＵＡＬＣＯＭＭ  ＳｎａｐＴｒａｃｋ社によるホワイト・ペーパーである「Ｌｏｃａｔｉｏｎ  Ｔｅｃｈｎｏｌｏｇｉｅｓ  ｆｏｒ  ＧＳＭ，  ＧＰＲＳ  ａｎｄ  ＵＭＴＳ  Ｎｅｔｗｏｒｋｓ」と、Ｌｕｃｅｎｔ  Ｔｅｃｈｎｏｌｏｇｉｅｓ社Ｂｅｌｌ  ＬａｂｏｒａｔｏｒｉｅｓのＤｊｕｋｕｎｉｃ  及び  Ｒｉｃｈｔｏｎによる「Ｇｅｏｌｏｃａｔｉｏｎ  ａｎｄ  Ａｓｓｉｓｔｅｄ−ＧＰＳ」と、ＧＰＳＷｏｒｌｄの西暦２００２年３月１日付の、ＬａＭａｎｃｅ，  ＤｅＳａｌａｓ及びＪａｒｖｉｎｅｎによる「Ａｓｓｉｓｔｅｄ  ＧＰＳ：  Ａ  Ｌｏｗ−Ｉｎｆｒａｓｔｒｕｃｔｕｒｅ  Ａｐｐｒｏａｃｈ」とを含むいくつかの文献に規定されている。これらの文献の内容は全て、本明細書及び請求の範囲に援用する。
【００７１】
ＡＧＰＳ手法では、通常、当該処理は、キャリア・ネットワークにおける無線ハンドセットと位置判定エンティティ（ＰＤＥ）との間の相互作用を伴う。この相互作用は、ハンドセットの位置を算出するのに用いる対象のＧＰＳ衛星をハンドセットが捕捉することを支援する。本明細書及び特許請求の範囲ではＡＧＰＳの説明を、上記のものなどの公表文献に網羅的に記載され、当業者に公知であるため、制限することを狙いとしている。ＡＧＰＳの主な利点としては、初期測位時間（ＴＴＦＦ）における速度の増加と、衛星を捕捉するうえでの感度の増加がある。すなわち、ハンドセットはその位置をよりすばやく判定し、より微弱なＧＰＳ信号を利用することが可能である。ＰＤＥによって備えられる支援は、２つの基本的に異なる手法によって利用可能である。１つの手法では、捕捉することになり、測定を得ることになる衛星毎の衛星ＩＤ、符号位相及びドップラ情報をＰＤＥが伝送することが要求される。別の手法では、おおよその基準位置と時間と、衛星の周回パラメータとをＰＤＥがキャリア・ネットワークを介してハンドセットに伝送することが要求される。この場合、ハンドセットは、測定を得ることになる衛星の符号位相及びドップラを計算することが要求される。この測定は更に、ＰＤＥに転送される。ＰＤＥは更にこの情報を用いて、緯度、経度、及び仰角値（測地）又は地球中心・地球固定（ＥＣＥＦ）座標系などの適切な座標系におけるハンドセットの絶対位置を得る。現在想定されているように、基本的なＡＧＰＳの概念を利用した変形又はハイブリッドがいくつか存在する。ＡＧＰＳを実施する種々の方法が存在すると仮定すれば、本明細書の目的で、かつ上記に従って、以下の定義によって、衛星の更に高速な捕捉と捕捉感度の更なる向上をもたらす手段及び方法が全て分かることが意図されている。その定義は、ハンドセットによって追跡する対象の衛星を識別し、この衛星を捕捉し、追跡し始めるのに必要なデータを備えて、追跡の開始の速度を増加させ、捕捉感度を増加させるのに必要なデータを備える、ＧＰＳ衛星自体からの直接供給以外のソースからの情報がハンドセットに備えられる手段又は方法、というものである。
【００７２】
別の実施例では、キャリア・ネットワークの位置特定サービス構成要素と通信して本発明を実施するよう構成されるアプリケーション・サーバが導入される。以下は、ＡＧＰＳの本発明へのアプリケーション・サーバを用いた適用と、ＡＧＰＳの、本発明の実施例としてのアプリケーション・サーバを用いた適用とを記載している。
【００７３】
コントローラがローバを探査するよう要求すると、ローバとコントローラはキャリア・ネットワークにおけるＰＤＥと、事実上ＡＧＰＳサービスを要求して、相互作用する。この要求の中では、ハンドセットは、ＡＧＰＳサービスを備えるうえでハンドセットに通信する方法及び内容をＰＤＥに通知する自らの動作パラメータに関する特定の指定情報をＰＤＥに与える必要がある。コントローラ及びローバがＧＰＳ衛星を捕捉し、ＧＰＳ衛星を追跡した後、アプリケーション・サーバは、本発明に有用な、コントローラとローバとの間の、改善された相対測位が利用可能であるような方法でシステム構成部分と相互作用することになる。すなわち、コントローラとローバとの間の高精度の相対位置を得るために、アプリケーション・サーバは各装置によって受信される衛星コンステレーションを時間の関数として比較することになる。アプリケーション・サーバは、このデータの最大の重複を判定し、各装置のその絶対位置の算出をこれらのより共通的な衛星に基づいて特定の時点について行うようシステムを誘導することになる。すなわち、コントローラ及びローバによる衛星の捕捉及び追跡の後、２つの移動体装置であるコントローラ及びローバによって受信されるＧＰＳデータを、特定の時点での特定の衛星が２つの間で可能な限り共通であるＰＤＥに備えることを意図している。当然、完全な共通性が、好ましく、ローバとコントローラとの間の相対的な空間位置の最高位置精度がもたらされることになる。ＰＤＥが各装置のその位置算出を行うと、座標はアプリケーション・サーバに転送されることになり、アプリケーション・サーバはその情報を用いて、ローバのコントローラに対する相対的な距離及びベアリングを非常に高い精度で判定することになる。この情報は更に、上記のようにユーザに提示するよう、コントローラに転送されることになる。位置収集期間中には、この処理は、コントローラによるローバのリアルタイム性を有する、非常に精度の高い位置追跡を可能にするように等間隔で続くことになる。
【００７４】
もう１つの実施例では、ＰＤＥによって確かめられる各位置群はコントローラに中継することが可能であり、相対的な距離及びベアリングの算出は、コントローラ自体によって行われることになる。
【００７５】
更にもう１つの実施例では、ＰＤＥによって収集される（擬似距離などの）生データは、位置算出に加えて相対的な距離及びベアリングの算出を行うよう、コントローラに転送することが可能である。
【００７６】
更に別の実施例では、初期ＡＧＰＳ支援に続いて、ハンドセットは擬似距離などの生データを別個に収集する。ローバの生データは、絶対的な追跡及び相対的な追跡を行うよう、コントローラに送信される。このシナリオでは、ハンドセットは、アプリケーション・サーバとは独立して一緒に、ローバのコントローラに対する相対的な距離及びベアリングを算出するうえでサーバ支援がもう一度要求される場合がある時点まで機能することが可能である。このような、サーバ支援と、独立した動作又は単独動作が交互に、必要に応じて、行われることになる。
【００７７】
上記実施例の全てにおいて、システムは、所望される場合には複数のコントローラ又はローバをコントローラが追跡し、位置特定することを可能にする（ローバは、コントローラによって位置特定され、追跡される、システム及び方法におけるその役割によって定義されるので、コントローラは、それが位置特定され、追跡される際にはローバであり得る。）。更に、コントローラのユーザは、上記のようなナビゲーション目的で地図上に備える対象の自らの位置を確かめることを要求することが可能である。
【００７８】
位置の別の一般的な分類としては、ネットワーク・ベースの無線三辺測量システムとしても表す地上ベースの位置特定技術がある。そのようなシステムの例は、Ｔｒｕｅ  Ｐｏｓｉｔｉｏｎ社という名前の企業によって規定されている。この手法では、通常、当該処理は、複数の基地局にある位置測定装置（ＬＭＵ）が生通話データを移動体ハンドセットから収集することを伴う。このデータは更に、到着時間差（ＴＤＯＡ）の算出及び／又は到着角（ＡＯＡ）の算出を用いた無線伝送の位置の三辺測量を行うのに用いられる。同様な手法は、ＬＭＵが基地局の同期をとり、データがサービシング移動位置特定センタ（ＳＭＬＣ）に送信される、強化観測時間差法（ＥＯＴＤ）に用いられる。この手法を用いれば、コントローラがローバを探索することを要求すると、アプリケーション・サーバは、上記の改善された相対的な追跡を達成することが可能であるような方法で上記構成部分と相互作用することになる。ここでは、アプリケーション・サーバは、データを比較し、コントローラとローバとの間の時間の関数として基地局の最大の重複を判定することになる。各装置の位置特定処理は、共通の条件に基づいて通常の方法で行うことになる。ＰＤＥ（又はＳＭＬＣ）が各装置のその位置算出を行うと、修正された座標がアプリケーション・サーバに転送されることになり、アプリケーション・サーバはこの情報を用いて、コントローラのローバに対する相対的な距離及びベアリングをより正確に判定することになる。この情報は、更に、上記のようにユーザに対する視覚的な提示及び可聴的な提示を行うよう、コントローラに転送されることになる。位置収集期間中には、この処理は、コントローラによるローバのリアルタイム性を有する、非常に正確な位置追跡を可能にするよう、等間隔で継続されることになる。
【００７９】
別の実施例では、ＰＤＥによって確かめられる各位置群は、コントローラに中継することが可能であり、相対的な距離及びベアリングの算出はコントローラ自体によって行われることになる。
【００８０】
もう１つの実施例では、ＰＤＥ（又はＳＭＬＣ）によって収集される地上ベースの無線ナビゲーション装置からの生データは、位置算出に加えて相対的な距離及びベアリングの算出を行うよう、コントローラに転送することが可能である。
【００８１】
更に別の実施例では、コンピュータなどの非移動体の中央装置がコントローラ及び／又はローバを追跡し得る。上記実施例の全てにおいては、システムは、所望される場合、複数のコントローラ又はローバをコントローラが追跡し、位置特定することを可能にする。更に、コントローラのユーザは、上記のようなナビゲーション目的で地図上に備える対象の自らの位置を確かめることを要求することが可能である。
【００８２】
２つの位置特定技術（ＧＰＳ／アシストＧＰＳと、地上ベースの位置特定）を前提とすれば、多くのシステムがハイブリッドのものになり得るという可能性は非常に高い。すなわち、
可能な場合にはＡＧＰＳを用い、信号受信が理由で必要な場合には地上ベースの位置特定に切り替え、更にもう一度元に戻すか、位置特定の解決策は両方のナビゲーション測定ソース（ＧＰＳと、地上ベースの位置特定）からの測定を用いることによって形成し得る。
【００８３】
アプリケーション・サーバを有する種々の実施例の全てについて、アプリケーション・サーバによって確かめられる位置情報をユーザ／コントローラに提示して上記のようにロバをコントローラが位置特定し、追跡することを可能にすることが究極の目的である。この情報は、コントローラ装置の種類に応じて種々の視覚形式で提示することが可能である。例えば、大型の画面を備えている無線電話機上若しくは無線ハンドセット上、又は携帯情報端末（ＰＤＡ）上で、マッピング表示に加えて、上記のような指向性を有する矢印や距離表示を備えている探索機能を介して情報を備えることが可能である。小型の画面を備えている携帯電話機又は携帯電話ハンドセットなどの無線装置上では、一般的なマッピング情報を、ローバのおおよその位置をユーザ／コントローラに備えるテキスト・メッセージによって置き換えることが可能である。このことは、ローバのアドレス、道路の交差点、及び／又は近傍／市／州／国などの地域を備えることによって達成することが可能である。本明細書及び特許請求の範囲記載のその機能及び付随情報の全てとともに指向性を有する矢印と、距離表示をコントローラの小型画面上に備えることも可能である。コントローラとローバとの間の高精度の相対情報を提示するのは、この後者の視覚情報及び付随情報である。
【００８４】
更に別の実施例では、（ＧＰＳ動作可能なシステムの擬似距離や、ＥＯＴＤ、ＡＦＬＴ、ＡＯＡ、ＴＤＯＡなどのシステムにおける時間測定や角測定などの）生データは、コントローラに提示される対象のハンドセットによって収集されるものであっても、ＰＤＥによって収集されるものであっても、コントローラによる、位置算出に加えて相対的な距離及びベアリングの算出を行うよう、コントローラに転送することが可能である。
【００８５】
本明細書及び特許請求の範囲記載の実施例の全てにおいて、システムは、所望される場合、複数のコントローラ又はローバをコントローラが追跡し、位置特定することを可能にし得る。更に、コントローラは、本明細書記載のナビゲーション目的でマップ上に備える対象の自らの位置を確かめることを要求することが可能である。
【００８６】
システムが安全に機能するためには、プライバシ及びセキュリティの課題も検討することとする。プライバシの課題は、１つのシナリオに当てはまり、このシナリオでは、１つのコントローラが（このシナリオではローバとしてみなす）別のコントローラを探索することを要する。携帯電話が用いられるこの場合には、各携帯電話は位置のトランザクションが行われることを可能にすることを要する。このことは、各ユーザがボタンを押して追跡が行われることを可能にする無線通話中にユーザによって行うことが可能である。この許可は現時の通話のみについて行われることになり、ハンドセットはもう一度デフォールト状態に戻って将来の通話をディセーブルすることになる。このようにして、プライバシの問題はユーザによって処理され、分からなければ誰も追跡することが可能でない。プライバシの問題は、幼児や老人などプライバシが必要と考えられていない個人や、プライバシの問題が存在するものと考えられていない自動車などの機器にローバが配置されるアプリケーションではローバに影響を及ぼすものでない。しかし、これらのケースは実は、セキュリティの問題を有する。その子どもを見つけることができなければならないのは子どもの親だけであり、コントローラを保有し、子供のローバ番号をたまたま取得する他の者は誰も、子どもを見つけることができるものであってはならない。他の解決策のうち、１つの手法は、ローバとコントローラとの間の位置トランザクションをパスワード保護するというものである。ローバは、正しいパスワードをそれに送信するコントローラに対してしか応答しないことになる。パスワードは、適切なコントローラ（ユーザ／親）によってローバに割り当てられたことになる。
【００８７】
本明細書の目的でかつ、本特許請求の範囲記載の請求項を解釈するために、以下の定義を採用する。
【００８８】
ローバとは、それを探索し、追跡することを、コントローラとローバとの間の、説明した他の機能とともにできるコントローラのユーザの目的でコントローラ上にその位置を表示させるか、コントローラにその位置を別の方法で利用可能にさせるよう形成される、ハンドセットであり得るその移動体装置のことであるが、装置をローバとしてみなすためには全ての特徴が存在しなければならないという訳でない。ローバは、コントローラとして指定される装置であってよく、コントローラとみなされる装置であってもよい。したがって、ローバは、ローバについての本明細書及び特許請求の範囲記載の機能の役目を、何れかの他の機能又は指定にかかわらず担う、装置の機能を表す。
【００８９】
「ｐｏｓｉｔｉｏｎ」及び「ｌｏｃａｔｉｏｎ」の語は、文脈がそうでないことを示すことがない限り、同義に用いる。
【００９０】
「絶対位置」の語は、座標系における位置を表すものとして当該分野では解されており、最も一般的なものは、地図システムにおける緯度及び経度である。
【００９１】
「ヘディング」の語は、当該分野ではよく分かっているものである。ＧＰＳ受信器はそのヘディングを移動中にいくつかのフィックスを得ることによって判定する。本記載では、コントローラは、一部の実施例において、ヘディングを判定するよう、コンパスを装備している。ＧＰＳの使用の意味合いでは、ＧＰＳ情報を用いてヘディングを得ることが好ましいが、それは、一般的に、その属性についてはより正確な測定手段であるからである。ＧＰＳヘディングは、オンボード・コンパスを校正するのに用い得る。
【００９２】
本記載に含まれる他の定義は、その文脈の提示から明らかである。
【００９３】
図１８を参照すれば、一般的に、システムは、セルラ・トランシーバ２０２を装備したコントローラ装置２００と、位置センサ２０４及びベアリング・センサ２０６と、ディスプレイ２０８とを含む。種々の実施例の記載の意味合いから分かるように、特定の実施例は、図１８に示す構成要素の全てを必要とする訳でない場合がある。システムは、キャリア・ネットワーク構成要素２１２及びアプリケーション・サーバ２１０を含む。ローバ装置２１４は、セルラ・トランシーバ２１６及び位置センサ２１８を含む。使用上、コントローラ装置２００が、ローバ装置２１４と通信して、ローバ装置２１４又はアプリケーション・サーバ２１０によって計算され、ローバ装置２１４又はコントローラ装置２００に送信された、ローバ装置の位置を得てもよく、ローバ装置２１４が測定データをコントローラ２００に送信し、それによってローバ装置の位置をコントローラ装置２００が計算することを可能にするようにしてもよい。このシステムは、位置計算を支援するうえでも位置算出を行うために測定を捕捉することを支援するうえでもキャリア・ネットワーク構成要素２１２を利用し得る。ローバ装置２１４は、コントローラ装置２００からのコマンドに応答し、ローバ装置２１４の相対位置及び絶対位置をコントローラ装置で算出し、提示することを可能にするのに適切なデータを転送することになる。
【００９４】
図１９は、ＧＰＳ位置特定技術及び地上ベースの位置特定技術を用いた、コントローラ装置モジュール及びローバ装置モジュールと、キャリア・ネットワークを介したそれらの相互関係とについての更に詳細の構成図を示す。コントローラ装置３００は、ＧＰＳ受信器３０２、地上ベースの無線ナビゲーション・センサ３０６を備えているセルラ・トランシーバ３０４、表示モジュール３０８、特別にプログラムされるコントローラＣＰＵ３１２を含む制御エレクトロニクス・モジュール３１０、及びディジタル・コンパス３１４を有する。更に、位置特定モジュール３１６、マッピング・モジュール３１８、位置特定する対象のローバ装置を選択するサーチ画面モジュール３２０、及びコントローラとローバとの何れか又は両方の位置を表示する地図画面モジュール３２２が存在する。コントローラＣＰＵ３１２は、ローバＩＤのデータベースを維持し、特定のローバに対する接続を指令し、維持し、種々のアルゴリズムを行い、ユーザからのインタフェースとユーザに対する出力とを制御することを含む、システムの動作を制御する動作モード３２４と、コントローラからローバに向けた、相対的な空間位置を指し示す矢印１５４を表示し、詳細探索画面上と地図画面上とに表示される他の情報を地図とともに表示するグラフィカル・モード３２６と、メッセージ及びコマンドをローバに対して送信する、ローバに対するメッセージのモード３２８との３つの一般的な機能モードを有する。
【００９５】
ローバ装置３３０は、ＧＰＳ受信器３３２、地上ベースの無線ナビゲーション・センサ・モジュール３３６を備えているセルラ・トランシーバ３３４と、特別にプログラムされるＣＰＵ３４０とを有する。
【００９６】
キャリア・ネットワーク３４２は、位置判定エンティティ（ＰＤＥ）３４４、位置測定装置（ＬＭＵ）３４６及びアプリケーション・サーバ３４８を有する。システムは、図２０乃至図２５においてみられ、以下に説明するような特定の場合に応じて種々の方法でこれらの構成要素を利用することが可能である。
【００９７】
いくつかの動作モードを図１９に規定する構成要素に基づいて実施し得る。図２０は、ＧＰＳ受信器モジュール３０２と地上ベースの位置センサ３０６との何れか又は両方を介してコントローラ３００で収集される生データと、ローバ３００で、そのＧＰＳ受信器モジュール３３２とその地上ベースのナビゲーション・センサ・モジュール３３６との何れか又は両方から収集される生データは、ＰＤＥ３４４に送られる前にアプリケーション・サーバ３４８にルーティングされることになるようにアプリケーション・サーバ３４８が実施される動作モードを示す。アプリケーション・サーバ３４８は、位置データの重複が最大になるようにするのに必要なフィルタリング、すなわち、ローバ及びコントローラに最も共通的な位置測定ソースの選択と、ローバ３３０及びコントローラ３００の位置の位置計算を行うのに適切なデータのＰＤＥ３４４への送信とを行うことになる。ＰＤＥ３４４が位置計算を完了すると、データはコントローラ３００にもう一度ルーティングされることになり、ローバのコントローラに対する相対的な空間位置と、少なくともローバ、可能の場合にはローバ及びコントローラ、の絶対位置とを表示する手順が前述のように続くことになる。
【００９８】
図２１は、ＧＰＳ受信器モジュール３０２と地上ベースの位置センサ３０６との何れか又は両方を介してコントローラ３００で収集される生データと、ＧＰＳ受信器モジュール３３２と地上ベースのナビゲーション・センサ・モジュール３３６との何れか又は両方からローバ３３０で収集される生データは、ＰＤＥ３４４にルーティングされることになる。この場合におけるＰＤＥ３４４は、単にデータ・ルータとして機能し、情報をアプリケーション・サーバ３４８に転送する。アプリケーション・サーバ３４８は更に、前述の相対的な位置特定精度が最大になるようにするのに必要なフィルタリングを行い、関連した位置算出を行うことになり、算出データをもう一度コントローラ３００にルーティングすることになり、手順は前述のように続くことになる。
【００９９】
図２２は、アプリケーション・サーバ機能がＰＤＥ３４４上や他のシステム・サーバ上に存在するアーキテクチャを示す。アプリケーション・サーバによって備えられるこの機能は、公開ＡＰＩ３６０を介して利用可能であり得る。ＡＰＩ３６０は、ＰＤＥ３４４がその位置算出を行う前に、前述のようなデータの重複を最大になるようにするフィルタリング工程のために、ＰＤＥ３４４の計算中にコールされることになる。この場合、ＧＰＳ装置  ３０２と地上ベースの位置センサ３０６との何れか又は両方を介してコントローラ３００によって収集される生データと、ＧＰＳ装置３３２と地上ベースの位置センサ３３６との何れか又は両方からローバ３３０で収集される生データは、ＰＤＥ３４４にルーティングされる。ＰＤＥ３４４は、前述の方法を介して最大の相対位置特定精度を成し遂げるのに必要なＡＰＩ３６０のコール及びファンクションを用いる。ＰＤＥ３４４は更に、結果データをコントローラ３００にルーティングすることになり、手順は前述のように続くことになる。
【０１００】
図２３ａ、２３ｂ及び２３ｃは、サーバ・システム機能がコントローラ３００に存在するアーキテクチャを示す。この場合、初期のサーバ支援の有無にかかわらず、ローバ３３０は位置特定データをコントローラに直接、送信する。コントローラ３００は処理する選択肢を３つ有する。図２３ａは、選択肢１を示す。すなわち、コントローラ３００は、ＧＰＳ装置  ３０２と地上ベースの位置センサ３０６との何れか又は両方を介してコントローラ３００によって収集される測定と、ＧＰＳ装置３３２と地上ベースの位置センサ３３６との何れか又は両方からローバ３３０で収集される測定とをフィルタリングすることが可能であり、コントローラは順次に、ＰＤＥ３４４の計算のために２つの測定群をネットワークに提示する。測定群毎に、ＰＤＥ３４４は結果の位置を戻すことになり、コントローラ３００は相対位置算出を行うことになる。図２３ｂは、選択肢２を示す。すなわち、コントローラ３００は、位置特定のためにネットワークＰＤＥ３４４に依存しないが、処理用ＧＰＳ測定を捕捉するうえでの支援のためにＰＤＥ３４４を用いて、フィルタリング及び位置算出の全てを行うことが可能である。この場合、ＰＤＥ３４４は、必要によって捕捉支援のためにコントローラ３００又はローバ３３０を支援することが可能であり、更に、コントローラ３００は、ＧＰＳ装置  ３０２と地上ベースの位置センサ３０６との何れか又は両方を介してコントローラ３００によって収集される測定と、ＧＰＳ装置３３２と地上ベースの位置センサ３３６との何れか又は両方からローバ３３０で収集される測定とをフィルタリングすることが可能であり、コントローラ３００は相対位置計算及び絶対位置計算をそのＣＰＵ内で行う。図２３ｃは選択肢３を示す。すなわち、コントローラ３００は、位置特定のためにネットワークＰＤＥ３４４に依存することなくフィルタリング及び位置算出の全てを行うことが可能である。この場合、コントローラ３００は、ＧＰＳ装置  ３０２と地上ベースの位置センサ３０６との何れか又は両方を介してコントローラ３００によって収集される測定と、ＧＰＳ装置３３２と地上ベースの位置センサ３３６との何れか又は両方からローバ３３０で収集される測定とをフィルタリングし、ネットワークＰＤＥ３４４の使用を必要とすることなくコントローラ３００のＣＰＵ内で相対位置計算及び絶対位置計算を行う。
【０１０１】
上記システムは、特定の伝送機構を何ら必要とするものでなく、サポートするキャリア・ネットワークによって要求される利用可能な通信プロトコルを用いて実施することが可能である。しかし、ＴＣＰ／ＩＰの完全なサポートへ移行するネットワークの増加に伴って上記選択肢は全て、極めて容易にサポートされ、調節される。
【０１０２】
地上ベースのトランシーバによる相対位置特定の利点
上記から分かり得るように、相対位置特定はこのシステムでは重要な役割を演じる。そうである理由には種々のものがある。（通常３つから７つまでの間の）複数の基地局トランシーバをみることを想定し得る都市部の環境では、主たる誤差源は、トランシーバからの非同期バーストと、マルチパス（隣接する建物や他の景観の特徴からの反射）との理由によるタイミング誤差である。
【０１０３】
２つの受信器が同じトランシーバを追跡し、共通のトランシーバのみが測定源として用いられ、この２つの受信器が対象の受信器であり、この２つの受信器の位置計算の差分がとられる場合、非同期クロック・バーストによる誤差は除去されるが、それは、この非同期クロック・バーストが両方の受信器に共通のものであるからである。残りの誤差源の主たるものはマルチパスである。マルチパスによって誤差がもたらされるが、それは、ライン・オブ・サイト（ＬＯＳ）信号が、存在しないか、（樹木であっても丘陵であっても建物であっても）隣接する景観から反射された信号と混合したものであるからである。各反射によって、時間に遅延が付加され、そのことは、ＬＯＳ信号の特徴にされることになる。付加される遅延が長いほど、絶対位置誤差は悪くなる。
【０１０４】
共通の測定源を利用する相対位置手法の利点としては、２つの独立した受信器の間の距離が小さくなるにつれ、マルチパス環境の類似性が高まるということがある。類似性が大きいほど、相対位置データの精度は高まるが、それは、２つの位置の差分がとられ、それによって共通的な誤差を除去することになるからである。
【０１０５】
共通測定源を利用する場合、測定は時間的に相関していることを要する。
【０１０６】
他のアプリケーション
上記機能及び方法によって、他のアプリケーションの展開が可能になる。他のアプリケーションには、以下のものが含まれる。
【０１０７】
１．  音声認識。追跡アプリケーションを音声プロンプトによって相互作用させることが可能であるハンドセット又はサーバで音声認識を組み入れる。例えば、「ジョンを見つける」、「ホンダを見つける」、「自分を見つける」など。
【０１０８】
２．  視覚障害者のための案内。ハンドセットは、開示されている相対的な手法を利用して、行き先までナビゲートする方法についての正確な案内を視覚障害者に備えることが可能である。例えば、ユーザは、自宅であってもスーパーマーケットであっても母親の家などであっても対象の場所／ウェイポイントを予めプログラムすることが可能であり、要求される場合、ハンドセットは、所望の行き先まで行く方法についてユーザに可聴情報を与えることが可能である。例えば、行き先にたどり着くまで、「まっすぐ５０フィート歩き、次に左に曲がって４０フィート、など」である。ウェイポイントは、緯度・経度、アドレスとして予めプログラムされるものであってもよく、メモリに入れる対象の行き先にユーザがいる場合に緯度・経度のフィックスを得るものであってもよい。ユーザは、上記のようにキーパッド又は音声認識によってハンドセットと相互作用することが可能である。
【０１０９】
３．  対象場所の探索。ユーザは、店舗やレストランなどの対象の目標の位置情報を要求することが可能である。アプリケーションは、サーバ・データベースをサーチして、ユーザの位置（緯度・経度）の最も近いところにある最も近い２つ又は３つの目標を位置特定することが可能である。更に、ユーザに自らの場所を目標に加えて示すこの情報は、更に、ハンドセット上の地図上でユーザに提示することが可能である。目標までのナビゲーション情報に加えベアリング及び距離を備えることが可能である。ユーザは、上記のようにキーパッド又は音声認識によってハンドセットと相互作用することが可能である。「ＦＩＮＤ  ＩＴ（それを探索する）」機能として表し得る、システムの探索機能も、対象の場所を探索する上での支援として用い得る。対象点の（緯度・経度などの）ジオコード位置が特定の外部ソースから既知である場合、探索機能は、対象点の位置を示す地図のみならず、対象点に達するのに移動する対象の方向を示すベアリング矢印も表示することが可能である。更に、直接距離及び／又は、コンパス方向に表される距離などの、他の有用なデータを示すことが可能である。例えば、ユーザには、目標位置が２．１マイル南であり、０．５マイル東であるという情報を与え得る。対象点又はアドレスのジオコードは、この目的で設定されたサーバをコントローラにコールさせることによって取得することが可能であり、サーバは、コントローラのＦＩＮＤ  ＩＴリスト上あるいはコントローラのアドレス帳内の対象点又はアドレス毎のジオコードをコントローラにダウンロードすることになる。
【０１１０】
４．  交通量情報。ユーザは、移動するにつれて更新される交通量情報を受信することが可能である。この情報は、自らの位置に加えて近傍の道路／高速道や来るべき道路／高速道を示す地図を利用するハンドセット上に備え得る。通行に時間がかかる道路／高速道や渋滞している道路／高速道は、赤色でハイライトしてよい。ユーザは、赤色ゾーンに関する詳細情報を、それをクリックするかそれをハイライトすることによって要求することができ得る。ユーザは、前述のようにキーパッド又は音声認識によってハンドセットと相互作用することが可能である。
【０１１１】
５．  他の公的／私的情報。種々の他の公的データをハンドセット上に備えることが可能である。例えば、ユーザは、自らの地域における特定のバス路線や鉄道路線の位置を要求することが可能である。このように、ユーザは、どのバスや電車に乗るかを評価することが可能である。この情報は、地図上でリアルタイムに備えることが可能である。この機能は、スクール・バス、カー・サービス、タクシーなどの何れかの他の公的又は私的のアプリケーションに拡張させることが可能である。唯一の要求事項としては、アプリケーションが、情報が維持されているデータベースに対するアクセスを必要とするということがある。ユーザは、前述のようにキーパッド又は音声認識によってハンドセットと相互作用することが可能である。
【０１１２】
６．  セルフナビゲーション。ユーザの現時の位置を地図上に表示する「自分の」探索に加えて、ユーザはアドレスなどの固定の行き先も入力することが可能である。行き先はキーパッド又は音声認識によって入力することが可能である。システムは更に、セルフナビゲーションの目的で行き先の位置に加え、ユーザの現時の位置を地図上に表示することが可能である。システムは、行き先までナビゲートするうえで支援するよう、ユーザにターン毎の指示も備えることが可能である。
【０１１３】
本発明は、使用される通信ネットワークと通信するサービス・プロバイダによって展開される特別にプログラムされるアプリケーション・サーバをハンドセットが適切に装備したユーザに向けたサービスにおいて実施することが可能である。アプリケーション・サーバは、衛星ベースの測定データ源又は地上ベースの測定データ源の最も共通的なものを得るようフィルタリングを行う。上記アプリケーション・サーバは、測定データをフィルタリングし、算出を行うことは、アプリケーション・サーバが、ＰＤＥとともに配置されていてもよく、インターネット上や何れかの他のアクセス可能なネットワーク上の所望の場所に配置されていてもよいように実施し得る。このようにして、マッピング・データを記憶するなどの他の目的用のアプリケーション・サーバも、ＰＤＥとともに配置されていてもよく、インターネット上や何れかの他のアクセス可能なネットワーク上の所望の場所に配置されていてもよい。そのようなアプリケーション・サーバを実施して、データの算出及び供給を、有償で行うか、ＡＴ＆Ｔ社、Ｖｅｒｉｚｏｎ社、Ｓｐｒｉｎｔ社他のような携帯電話ネットワーク・オペレータなどのサービス・プロバイダによって提供される課金可能サービスの一部として行う。
【０１１４】
ローバのコントローラに対する高精度の相対位置特定を達成する別の方法は、コントローラで得られ、ローバで得られる測定に施される測定からの相対的な差分修正を計算するというものである。このことは、コントローラで得られる測定からの擬似距離残差を用いて修正を生成し、更に、この修正をローバ測定に施すことによって行われる。修正は、コントローラ内又はネットワーク内で生成することが可能である。修正は更に、専有のメッセージ形式において送信してもよく、標準的なＲＴＣＭ１０４ＤＧＰＳ修正メッセージとして送信してもよい。同様に、修正は、ローバで得られる測定について、ネットワークで施してもローバで施してもコントローラで施してもよい。「相対的な」ＤＧＰＳ修正とは、コントローラが既知の静的位置になくても、コントローラの位置を、コントローラで得られる測定から算出することが可能であり、この計算位置に対する擬似距離残差を更に、修正を生成するよう用い得る。
【０１１５】
本発明の特定の実施例を本明細書及び特許請求の範囲において記載し、説明したが、修正及び変形が当業者に容易に分かることが認識されるものであり、よって、本特許請求の範囲記載の請求項を、そのような均等論の下や３５Ｕ．Ｓ．Ｃ１１２の下でのその、そのような修正及び均等物を包含するものとして解することを意図している。
【図面の簡単な説明】
【０１１６】
【図１】コントローラ装置の動作図である。
【図２】ローバ装置の動作図である。
【図３】コントローラの開始手順の流れ図である。
【図４】電話の開始手順の流れ図である。
【図５】電話のメモリ手順の流れ図である。
【図６】メモリ探索手順の流れ図である。
【図７】探索手順の流れ図である。
【図８】詳細探索手順の流れ図である。
【図９】ＧＰＳメッセージ処理手順の流れ図である。
【図１０】遠隔メッセージ処理手順の流れ図である。
【図１１】ユーザ入力処理手順の流れ図である。
【図１２】対話型ホーム画面の図である。
【図１３】対話型電話画面の図である。
【図１４】対話型手動電話画面の図である。
【図１５】対話型探索画面の図である。
【図１６】対話型詳細探索画面の図である。
【図１７】対話型地図画面の図である。
【図１８】基本システム動作構成要素の図である。
【図１９ａ】システム動作図である。
【図１９ｂ】システム動作図である。
【図２０】システム動作図である。
【図２１】システム動作図である。
【図２２】システム動作図である。
【図２３ａ】オプション１のシステム動作図である。
【図２３ｂ】オプション２のシステム動作図である。
【図２３ｃ】オプション３のシステム動作図である。
【図１】
2006524316.tif 000003
【図２】
2006524316.tif 000004
【図３】
2006524316.tif 000005
【図４】
2006524316.tif 000006
【図５】
2006524316.tif 000007
【図６】
2006524316.tif 000008
【図７】
2006524316.tif 000009
【図８】
2006524316.tif 000010
【図９】
2006524316.tif 000011
【図１０】
2006524316.tif 000012
【図１１】
2006524316.tif 000013
【図１２】
2006524316.tif 000014
【図１３】
2006524316.tif 000015
【図１４】
2006524316.tif 000016
【図１５】
2006524316.tif 000017
【図１６】
2006524316.tif 000018
【図１７】
2006524316.tif 000019
【図１８】
2006524316.tif 000020
【図１９ａ】
2006524316.tif 000021
【図１９ｂ】
2006524316.tif 000022
【図２０】
2006524316.tif 000023
【図２１】
2006524316.tif 000024
【図２２】
2006524316.tif 000025
【図２３ａ】
2006524316.tif 000026
【図２３ｂ】
2006524316.tif 000027
【図２３ｃ】
2006524316.tif 000028
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
移動体ローバを移動体コントローラから位置特定し、追跡するシステムであって、該システムは、前記移動体ローバ及び前記移動体コントローラとの間で通信するよう通信ネットワークとともに動作可能であり、前記コントローラの位置の計算とローバの位置の計算とに適用可能な位置関連測定データを送信するよう少なくとも１つの位置特定技術ソースとともに動作可能であり、前記システムが、
位置測定データを位置特定技術ソースから受信する受信器と、前記通信ネットワークを介して通信を受信し、送信する通信モジュールと、前記コントローラのヘディングとを有する移動体コントローラ；及び
位置測定データを位置特定技術ソースから受信する受信器と、前記通信ネットワークを介して通信を受信し、送信する通信モジュールとを有する移動体ローバを備え；
更に、１つ又は複数の特別にプログラムされるコンピュータ構成要素を備え、該コンピュータ構成要素は、前記位置特定技術ソースから前記コントローラと前記ローバとの各々によって受信される信号からの位置関連測定データを受信し、処理して、更なる算出に用いる対象の位置測定データ源の最も共通的な群を判定することを可能にされ、かつ、前記データを用いて、前記ローバの前記コントローラに対する相対的な空間位置を判定し、更に前記コントローラの前記ヘディングを判定する手段を用いて前記ローバの、前記コントローラの前記ヘディングに対するベアリングを判定し、前記コントローラは、前記ローバの、前記コントローラの前記ヘディングに対する前記ベアリングを表示することを可能にされる表示モジュールを有することを特徴とするシステム。
【請求項２】
請求項１記載のシステムであって、前記コントローラが、複数のローバを位置特定し、追跡することを可能にされ、前記複数のローバのうちから、位置特定し、追跡することが所望される１つ又は複数のものを選択することが可能であることを特徴とするシステム。
【請求項３】
請求項１記載のシステムであって、前記位置特定技術ソースが衛星ベースの位置特定技術であることを特徴とするシステム。
【請求項４】
請求項１記載のシステムであって、前記位置特定技術ソースが地上ベースの位置特定技術であることを特徴とするシステム。
【請求項５】
請求項１記載のシステムであって、前記位置特定技術ソースが、地上ベースの位置特定技術と衛星ベースの位置特定技術とのハイブリッドのものであることを特徴とするシステム。
【請求項６】
請求項１記載のシステムであって、前記特別にプログラムされるコンピュータ構成要素の１つがアプリケーション・サーバであり、該アプリケーション・サーバは、前記通信ネットワークを介して前記アプリケーション・サーバに送信される前記コントローラの位置測定データ源と前記ローバの位置測定データ源との最も共通的な群を判定し、前記ローバの前記コントローラに対する前記相対的な空間位置は前記最も共通的な群を用いて判定されることを特徴とするシステム。
【請求項７】
請求項１記載のシステムであって、特別にプログラムされるコンピュータ構成要素が、前記ローバ単独と、前記コントローラと前記ローバとの両方との何れかの絶対位置を判定することを可能にされ、前記コントローラでのディスプレイは、前記ローバの絶対的な地図位置又は前記ローバ及び前記コントローラの絶対的な地図位置を表示することを可能にされることを特徴とするシステム。
【請求項８】
請求項３記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項９】
請求項３記載のシステムであって、前記衛星ベースの位置特定技術が、ガリレオ・システムを備えることを特徴とするシステム。
【請求項１０】
請求項６記載のシステムであって、特別にプログラムされるコンピュータ構成要素が、前記ローバ単独と、前記コントローラと前記ローバとの両方との何れかの絶対位置を判定することを可能にされ、前記コントローラでのディスプレイは、前記ローバの絶対的な地図位置又は前記ローバ及び前記コントローラの絶対的な地図位置を表示することを可能にされることを特徴とするシステム。
【請求項１１】
請求項６記載のシステムであって、前記位置特定技術ソースが衛星ベースの位置特定技術であることを特徴とするシステム。
【請求項１２】
請求項６記載のシステムであって、前記位置特定技術ソースが地上ベースの位置特定技術であることを特徴とするシステム。
【請求項１３】
請求項６記載のシステムであって、前記位置特定技術ソースが、地上ベースの位置特定技術と衛星ベースの位置特定技術とのハイブリッドのものであることを特徴とするシステム。
【請求項１４】
請求項６記載のシステムであって、前記アプリケーション・サーバによって判定される、位置測定データ源の前記最も共通的な群の位置測定データと、前記コントローラのヘディング情報が；
前記ローバの前記コントローラに対する相対的な空間位置と、前記ローバの、前記コントローラの前記ヘディングに対するベアリングとを算出し、更に、前記通信ネットワークを介して該算出の結果を前記コントローラに送信する、前記ネットワークと関連付けられるコンピュータ構成要素、又は、
前記コントローラに前記通信ネットワークを介して送信され、前記コントローラでの特別にプログラムされるコンピュータ構成要素は、前記ローバの前記コントローラに対する前記相対的な空間位置と、前記ローバの、前記コントローラの前記ヘディングに対する前記ベアリングとを計算することを特徴とするシステム。
【請求項１５】
請求項６記載のシステムであって、前記衛星ベースの位置特定技術が、ガリレオ・システムを備えることを特徴とするシステム。
【請求項１６】
請求項８記載のシステムであって、ＡＧＰＳが利用可能であり、かつ、ＡＧＰＳ動作可能機器からの支援を受け、利用することを少なくとも前記ローバが可能にされるか、前記ローバと前記コントローラとの両方が可能にされることを特徴とするシステム。
【請求項１７】
請求項１１記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項１８】
請求項１２記載のシステムであって、前記地上ベースの位置特定技術が、ＡＦＬＴと、ＥＯＴＤと、ＴＤＯＡと、ＵＴＤＯＡと、ＡＯＡとから成る群から選択されることを特徴とするシステム。
【請求項１９】
請求項１３記載のシステムであって、前記衛星ベースの位置特定技術がＧＰＳを備え、前記地上ベースの位置特定技術が、ＡＦＬＴと、ＥＯＴＤと、ＴＤＯＡと、ＵＴＤＯＡと、ＡＯＡとから成る群から選択されることを特徴とするシステム。
【請求項２０】
請求項１４記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項２１】
請求項１６記載のシステムであって、前記位置特定技術がＭＳベースのＡＧＰＳ支援機能を備えることを特徴とするシステム。
【請求項２２】
請求項１６記載のシステムであって、前記位置特定技術がネットワーク・ベースのＡＧＰＳを備えることを特徴とするシステム。
【請求項２３】
請求項１６記載のシステムであって、前記位置特定技術が、単独測位ＧＰＳとＡＧＰＳとの何れかを選択基準に基づいて選択的に用いるものであることを可能にされることを特徴とするシステム。
【請求項２４】
請求項１７記載のシステムであって、ＡＧＰＳが利用可能であり、かつ、ＡＧＰＳからの支援を受け、利用することを少なくとも前記ローバが可能にされるか、前記ローバと前記コントローラとの両方が可能にされることを特徴とするシステム。
【請求項２５】
請求項２０記載のシステムであって、ＡＧＰＳが利用可能であり、かつ、ＡＧＰＳからの支援を受け、利用することを少なくとも前記ローバが可能にされるか、前記ローバと前記コントローラとの両方が可能にされることを特徴とするシステム。
【請求項２６】
請求項２４記載のシステムであって、前記位置特定技術がＭＳベースのＡＧＰＳ支援機能を備えることを特徴とするシステム。
【請求項２７】
請求項２４記載のシステムであって、前記位置特定技術がネットワーク・ベースのＡＧＰＳを備えることを特徴とするシステム。
【請求項２８】
請求項２４記載のシステムであって、前記位置特定技術が、単独測位ＧＰＳとＡＧＰＳとの何れかを選択基準に基づいて選択的に用いるものであることを可能にされることを特徴とするシステム。
【請求項２９】
請求項２５記載のシステムであって、前記位置特定技術がＭＳベースのＡＧＰＳ支援機能を備えることを特徴とするシステム。
【請求項３０】
請求項２５記載のシステムであって、前記位置特定技術がネットワーク・ベースのＡＧＰＳを備えることを特徴とするシステム。
【請求項３１】
請求項２５記載のシステムであって、前記位置特定技術が、単独測位ＧＰＳとＡＧＰＳとの何れかを選択基準に基づいて選択的に用いるものであることを可能にされることを特徴とするシステム。
【請求項３２】
請求項１乃至３１のうちの何れか１項に記載のシステムであって、前記コントローラの前記へディングを判定する手段が、
１）コンパスと、
２）前記コントローラの前記ヘディングを前記コントローラの移動から取得することを可能にされる前記コントローラと、
３）コンパス及び、前記コントローラの前記ヘディングを前記コントローラの移動から取得することを可能にされる前記コントローラ、
とから成る群から選択される手段であり、
前記コントローラは、前記ローバの前記コントローラに対するベアリングと、前記ローバの前記コントローラに対するベアリングと前記ローバまでの距離との両方との何れかを算出し、表示することを可能にされることを特徴とするシステム。
【請求項３３】
請求項３２記載のシステムであって、ＧＰＳヘディング情報によって前記コンパスを校正する手段を更に備えることを特徴とするシステム。
【請求項３４】
移動体ローバを移動体コントローラから位置特定し、追跡するシステムであって、該システムは、ＡＧＰＳ動作可能システムとともに動作する無線通信ネットワークとともに動作可能であり、
移動体コントローラを備え、該移動体コントローラは；
前記無線通信ネットワークを介して通信することを可能にされる無線通信モジュールと、
ＡＧＰＳモードにおいて機能して、前記無線通信ネットワークを介してＡＧＰＳ支援を取得し、かつ、ＧＰＳ位置測定データをＧＰＳ衛星から受信することを可能にされるＧＰＳモジュールとを備え、前記移動体コントローラは更に、
（ａ）コンパスと、
（ｂ）前記コントローラが移動することによってＧＰＳを用いることと、
（ａ）と（ｂ）との両方
とから成る群から選択される、前記コントローラのヘディングを備える手段を備え、
更に、移動体ローバを備え、該移動体ローバは；
前記無線通信ネットワークを介して通信することを可能にされる無線通信モジュールと、
ＡＧＰＳモードにおいて機能して、前記無線通信ネットワークを介してＡＧＰＳ支援を取得し、かつ、ＧＰＳ位置測定データをＧＰＳ衛星から受信することを可能にされるＧＰＳモジュールと、
前記コントローラも前記ローバも位置測定データを受信する共通のＧＰＳ衛星を選択する手段と、
前記ローバの、前記コントローラの前記ヘディングに対する相対的な空間位置を少なくとも前記共通のＧＰＳ衛星を用いて算出する手段と、
算出を行って、前記ローバの位置又は前記ローバと前記コントローラとの両方の位置を示す地図の表示を可能にし、前記地図を前記コントローラ上に表示する手段と、
前記コントローラから、前記コントローラの前記ヘディングに対する前記ローバまでのベアリングの表示子を判定することを可能にし、前記表示子を前記コントローラ上に表示する手段とを備えることを特徴とするシステム。
【請求項３５】
請求項３４記載のシステムであって、前記コントローラが、前記ローバまでの前記コントローラからの距離を表示することを可能にされることを特徴とするシステム。
【請求項３６】
請求項３４記載のシステムであって、前記コントローラが、前記ローバの前記コントローラに対する高度を表示することを可能にされることを特徴とするシステム。
【請求項３７】
請求項３４記載のシステムであって、前記コントローラが、前記ローバの位置の証跡を前記ローバが移動するにつれ表示することを可能にされることを特徴とするシステム。
【請求項３８】
請求項３４記載のシステムであって、共通の衛星を選択する手段が、前記通信ネットワークと関連付けられるアプリケーション・サーバであることを特徴とするシステム。
【請求項３９】
請求項３４記載のシステムであって、前記ローバの前記コントローラに対する前記相対的な空間位置を算出する手段は、前記通信ネットワークと関連付けられる計算機構成要素であることを特徴とするシステム。
【請求項４０】
請求項３４記載のシステムであって、前記ローバの、前記コントローラの前記ヘディングに対する前記相対的な空間位置を算出する手段は、前記コントローラにおける計算機構成要素であることを特徴とするシステム。
【請求項４１】
請求項３４記載のシステムであって、前記ローバの前記コントローラからの、前記コントローラのヘディングに対する前記ベアリングを判定することを可能にする手段が；
前記コントローラの前記ヘディングを判定する手段と、前記ベアリングから前記ローバまでの距離を計算する、前記コントローラにおける計算機構成要素とを備えることを特徴とするシステム。
【請求項４２】
請求項３４乃至４１のうちの何れか１項に記載のシステムであって、前記移動体コントローラ、前記移動体ローバ、又は該移動体コントローラと該移動体ローバとの両方が、位置関連測定データを地上ベースの位置特定技術から受信する手段を有することを特徴とするシステム。
【請求項４３】
無線通信ネットワークとともに動作可能な移動体コントローラに対して移動体ローバをオン・デマンドで位置特定するシステムであって、
移動体コントローラを備え、該移動体コントローラは、位置測定情報を位置特定技術ソースから受信する無線位置特定モジュールと、移動体ローバに命令を送信し、前記ローバにある無線位置特定モジュールから受信されるデータを処理する無線通信モジュール及び制御モジュールとを有し、
更に、少なくとも１つの移動体ローバを備え、該移動体ローバは、位置測定情報を位置特定技術ソースから受信する無線位置特定モジュールと、位置測定情報を含む情報を伝送する無線通信モジュールと、命令を移動体コントローラから受信する制御モジュールとを有し、
前記移動体ローバは、該移動体ローバが工程群のうちの何れか１つによって受信した位置測定情報を送信することを可能にされ、該工程群は；
１）前記無線通信ネットワークを介して前記移動体コントローラに直接、位置測定情報を送信する工程と、
２）前記情報を処理し、該処理情報を前記移動体ローバに備えることが可能な、前記無線通信ネットワークと関連付けられるアプリケーション・サーバへ位置測定情報を送信する工程と、
３）前記情報を処理し、該処理情報を前記移動体コントローラに備え、更に、前記処理情報を前記コントローラに送信することが可能な、前記無線通信ネットワークと関連付けられるアプリケーション・サーバへ位置測定情報を送信する工程と、
４）前記情報を、該情報を処理することなく直接、前記情報が処理されることになる前記移動体コントローラに直接送信する、前記無線通信ネットワークと関連付けられるアプリケーション・サーバへ位置測定情報を送信する工程とから成り、
前記移動体コントローラは、前記移動体ローバの前記移動体コントローラに対する相対的な空間関係を判定することを可能にされることを特徴とするシステム。
【請求項４４】
請求項４３記載のシステムであって、前記コントローラの無線位置特定モジュールと前記ローバの無線位置特定モジュールが、位置測定情報を、前記ＧＰＳと地上ベースの位置特定技術ソースとの何れか１つからか、前記ＧＰＳと地上ベースの位置特定技術ソースとの両方から受信することを可能にされることを特徴とするシステム。
【請求項４５】
請求項４３記載のシステムであって、前記コントローラ及び前記ローバが、該コントローラ及び該ローバの位置を計算するよう、共通の信号を位置特定技術ソースから観測することを特徴とするシステム。
【請求項４６】
請求項４３記載のシステムであって、
前記コントローラは、
該コントローラのヘディングを備えるようコンパスを装備しているか、
前記コントローラのヘディングを前記コントローラの動きから備えるか、前記ローバの前記コントローラに対するベアリングと、前記ローバの前記コントローラに対するベアリングと前記ローバまでの距離との両方との両方を用いることを可能にし、かつ、前記ローバの前記コントローラに対するベアリングと、前記ローバの前記コントローラに対するベアリングと前記ローバまでの距離との両方との何れかを計算し、表示することを可能にされることを特徴とするシステム。
【請求項４７】
請求項４３記載のシステムであって、前記コントローラは、前記ローバとの無線通信リンクを設定し、前記ローバの位置の情報を前記無線位置特定モジュールから取得するコマンドの選択を含む探索機能を有するようプログラムされ、前記コントローラは更に、前記ローバの前記コントローラに対する前記相対的な空間位置と前記コントローラ及び前記ローバの地図上の絶対位置とをコマンドによって算出するよう更にプログラムされ、前記コントローラ及び前記ローバの前記相対的な空間位置と前記絶対的な地図位置とのうちの選択される１つが、ユーザによる選択によってディスプレイ上に表示されるよう利用可能であることを特徴とするシステム。
【請求項４８】
請求項４３記載のシステムであって、前記コントローラは位置測定情報を無線位置特定システムから受信し、前記ローバは位置測定情報を同じ無線位置特定システムから受信し、前記ローバは、前記情報を比較して前記ローバ及び前記コントローラの前記相対的な空間位置を備える、前記無線通信ネットワークと関連付けられる前記コントローラとネットワーク・サーバとの一方に位置測定情報を送信することを特徴とするシステム。
【請求項４９】
請求項４３記載のシステムであって、前記無線位置特定システムが衛星無線位置特定システムであることを特徴とするシステム。
【請求項５０】
請求項４３記載のシステムであって、前記コントローラ及び前記ローバは共通のソースからの位置測定情報を用いることを特徴とするシステム。
【請求項５１】
移動体ローバを移動体コントローラから位置特定し、追跡する方法であって、該移動体ローバ及び該移動体コントローラは、前記移動体ローバ及び前記移動体コントローラとの間で通信するよう通信ネットワークとともに動作可能であり、前記コントローラの位置の計算と前記ローバの位置の計算とに適用可能な特定の位置関連測定データを受信し、送信するよう、少なくとも１つの位置特定技術ソースとともに動作可能であり、
前記ローバに対する前記コントローラからの信号によって前記ローバを位置特定し、追跡する手順を開始する工程と、
前記ローバ及び前記コントローラで、位置特定技術ソースからの位置関連測定データの受信を開始する工程と、
前記ローバの位置の計算を可能にすることになる位置関連測定データを、前記通信ネットワークを介して前記ローバから、前記通信ネットワークに関連付けられ、多くのローバ及びコントローラからのそのようなデータを受信し、処理することを可能にされるアプリケーション・サーバに送信する工程と、
前記コントローラの位置の計算を可能にすることになる位置関連測定データを、前記通信ネットワークを介して前記コントローラから、前記アプリケーション・サーバに送信する工程と、
前記ローバの前記コントローラに対する相対的な空間位置を判定するのに用いる対象の、前記ローバ及び前記コントローラからの位置測定データの最も共通的なソース群を前記アプリケーション・サーバで判定する工程と、
位置測定データの前記最も共通的な群を用いて、前記ローバの前記コントローラに対する相対的な空間位置情報と、前記ローバ及び前記コントローラの絶対位置とを、特別にプログラムされる計算機構成要素で算出する工程と、
前記コントローラのヘディングを判定する手段を用いることによって、前記コントローラ内で、前記コントローラの該ヘディングを判定する工程と、
前記コントローラ内で前記ローバの、前記コントローラの前記ヘディングに対する前記相対的な空間位置情報を用いて、ディスプレイによって、前記ローバの、前記コントローラの前記ヘディングに対するベアリングを提示し、絶対位置が算出されている場合、前記ローバの地図上か前記ローバと前記コントローラとの両方の地図上に絶対位置を表示する工程とを備え、ベアリングの前記表示と、前記地図表示が代替的に選択可能であることを特徴とする方法。
【請求項５２】
請求項５１記載の方法であって、更に、位置測定データの前記判定される最も共通的な群が前記コントローラに送信され、該コントローラは前記計算機構成要素を有し、前記ローバの前記コントローラに対する前記相対的な空間位置を前記コントローラで算出し、該コントローラ及び該ローバの絶対位置を前記コントローラで算出することを特徴とする方法。
【請求項５３】
請求項５１記載の方法であって、前記ローバ及び前記コントローラの位置を地図上に表示するよう、前記ローバ及び前記コントローラの緯度及び経度を前記コントローラで算出する工程を更に備えることを特徴とする方法。
【請求項５４】
請求項５１記載の方法であって、前記位置特定技術がＧＰＳであり、前記アプリケーション・サーバが、前記ローバ及び前記コントローラによって追跡される、ＧＰＳ衛星の最も共通的な群を判定することを特徴とする方法。
【請求項５５】
請求項５１記載の方法であって、ＡＧＰＳソースからの支援を前記ローバ及び前記コントローラが受け、用いることを可能にする工程を更に備えることを特徴とする方法。
【請求項５６】
請求項５１記載の方法であって；
前記通信ネットワークと関連付けられる、特別にプログラムされるコンピュータ構成要素を備えて、前記アプリケーション・サーバによって判定される、前記ローバの前記コントローラに対する前記相対的な空間位置の位置測定データの前記最も共通的な群からの計算を行い、地図表示に実施される場合には更に、前記ローバ及び前記コントローラの絶対位置の位置測定データの前記最も共通的な群からの計算を行う工程を更に備えることを特徴とする方法。
【請求項５７】
請求項５１記載の方法であって、前記コントローラと前記ローバとの両方が、地上ベースの位置特定技術ソースから前記コントローラと前記ローバとの位置関連測定データを取得することを特徴とする方法。
【請求項５８】
請求項５１記載の方法であって、
地図表示が動作可能にされる場合、前記ローバの連続した位置判定を用いて、前記地図上で前記ローバの位置の履歴を示す一連の標識を表示する工程を更に備えることを特徴とする方法。
【請求項５９】
請求項５１記載の方法であって、前記コントローラ上に、
前記ローバの移動の速度と、
ローバの前記移動体コントローラに対する高度と、
前記ローバの地理座標とのうちの１つ又は複数のものを更に表示することを特徴とする方法。
【請求項６０】
請求項５１記載の方法であって、前記コントローラ及び前記ローバが、地上ベースのトランシーバからの時間遅延又は時間差を測定するよう企図された携帯電話ハンドセットを備え、前記コントローラ及びローバが、同じ特定時間で共通的に観測されるトランシーバ信号からの情報を用いて相対的な空間位置を備えることを特徴とする方法。
【請求項６１】
請求項５１記載の方法であって、ＡＯＡ位置特定技術を用いる工程を更に備えることを特徴とする方法。
【請求項６２】
請求項４５記載のシステムであって、前記コントローラは、前記ローバとの無線通信リンクを設定し、前記ローバの位置の情報を前記無線位置特定モジュールから取得するコマンドの選択を含む探索機能を有するようプログラムされ、前記コントローラは更に、前記ローバの前記コントローラに対する相対的な空間位置と前記コントローラ及び前記ローバの地図上の絶対位置をコマンドによって算出するようプログラムされ、前記コントローラ及び前記ローバの前記相対的な空間位置と絶対的な地図位置とのうちの選択される１つが、ユーザによる選択によってディスプレイ上に表示されるよう利用可能であることを特徴とするシステム。
【請求項６３】
請求項４５記載のシステムであって、前記コントローラは位置測定情報を無線位置特定システムから受信し、前記ローバは位置測定情報を同じ無線位置特定システムから受信し、前記ローバは、前記情報を比較して前記ローバ及び前記コントローラの相対的な空間位置を備える、前記無線通信ネットワークと関連付けられる前記コントローラとネットワーク・サーバとの一方に位置測定情報を送信することを特徴とするシステム。
【請求項６４】
請求項４５記載のシステムであって、前記無線位置特定システムが衛星無線位置特定システムであることを特徴とするシステム。
【請求項６５】
請求項４６記載のシステムであって、前記コントローラは、該コントローラのヘディングを；
１）コンパスと、
２）前記コントローラのヘディングを前記コントローラの移動から取得することを可能にされる前記コントローラと、
３）コンパス及び、前記コントローラのヘディングを前記コントローラの移動から取得することを可能にされる前記コントローラ、
とから得ることができ、前記コントローラは、前記ローバの、前記コントローラの前記ヘディングに対するベアリングと、前記ローバの、前記コントローラの前記ヘディングに対するベアリングと前記ローバまでの距離との両方との何れかを算出し、表示することを可能にされることを特徴とするシステム。
【請求項６６】
請求項６５記載のシステムであって、前記無線位置特定システムが少なくともＧＰＳであり、前記コントローラが該コントローラのヘディングを、移動によって、順次のＧＰＳ位置測定情報によって得ることができることを特徴とするシステム。
【請求項６７】
請求項５０記載のシステムであって、前記コントローラ及び前記ローバの無線位置特定モジュールが、位置測定情報を、ＧＰＳソース、地上ベースの位置特定技術ソース、又はＧＰＳソースと地上ベースの位置特定技術ソースとの両方から受信することを可能にされることを特徴とするシステム。
【請求項６８】
請求項５０記載のシステムであって、前記ローバとの無線通信リンクを設定し、前記ローバの位置の情報を前記無線位置特定モジュールから取得するコマンドの選択を含む探索機能を有するようプログラムされ、前記コントローラは更に、前記ローバの前記コントローラに対する相対的な空間位置と前記コントローラ及び前記ローバの地図上の絶対位置とをコマンドによって算出するようプログラムされ、前記コントローラ及び前記ローバの前記相対的な空間位置と絶対的な地図位置とのうちの選択される１つが、ユーザによる選択によってディスプレイ上に表示されるよう利用可能であることを特徴とするシステム。
【請求項６９】
請求項５０記載のシステムであって、前記コントローラは位置測定情報を無線位置特定システムから受信し、前記ローバは位置測定情報を同じ無線位置特定システムから受信し、前記ローバは、前記情報を比較して前記ローバ及び前記コントローラの相対的な空間位置を備える、前記コントローラと、前記無線通信ネットワークに関連付けられるネットワーク・サーバとの一方に位置測定情報を送信することを特徴とするシステム。
【請求項７０】
請求項５０記載のシステムであって、前記無線位置特定システムが衛星無線位置特定システムであることを特徴とするシステム。
【請求項７１】
請求項５４記載の方法であって、ＡＧＰＳソースからの支援を前記ローバ及び前記コントローラが受け、用いることを可能にする工程を更に備えることを特徴とする方法。
【請求項７２】
請求項７１記載の方法であって、前記ローバ及び前記コントローラの位置を地図上に表示するよう、前記ローバ及び前記コントローラの緯度及び経度を前記コントローラで算出する工程を更に備えることを特徴とする方法。
【請求項７３】
請求項７１記載の方法であって、
前記コントローラは、
該コントローラのヘディングを備えるようコンパスを装備しているか、
前記コントローラの前記ヘディングを前記コントローラの動きから備えるか、前記ローバの、前記コントローラの前記ヘディングに対するベアリングと、前記ローバの前記コントローラの前記ヘディングに対するベアリングと前記ローバまでの距離との両方との両方を用いることを可能にし、かつ、前記ローバの、前記コントローラの前記ヘディングに対するベアリングと、前記ローバの前記コントローラの前記ヘディングに対するベアリングと前記ローバまでの距離との両方との何れかを計算し、表示することを可能にされることを特徴とする方法。
【請求項７４】
請求項７３記載の方法であって、ＧＰＳヘディング情報によってコンパスを校正する工程を更に備えることを特徴とする方法。
【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
移動体ローバを移動体コントローラから位置特定し、追跡するシステムであって、該システムは、前記移動体ローバ及び前記移動体コントローラとの間で通信するよう通信ネットワークとともに動作可能であり、前記コントローラの位置の計算とローバの位置の計算とに適用可能な位置関連測定データを送信するよう少なくとも１つの位置特定技術ソースとともに動作可能であり、前記システムが、
位置測定データを位置特定技術ソースから受信する受信器と、前記通信ネットワークを介して通信を受信し、送信する通信モジュールと、前記コントローラのヘディングとを有する移動体コントローラ；及び
位置測定データを位置特定技術ソースから受信する受信器と、前記通信ネットワークを介して通信を受信し、送信する通信モジュールとを有する移動体ローバを備え；
更に、１つ又は複数の特別にプログラムされるコンピュータ構成要素を備え、該コンピュータ構成要素は、前記位置特定技術ソースから前記コントローラと前記ローバとの各々によって受信される信号からの位置関連測定データを受信し、処理して、更なる算出に用いる対象の位置測定データ源の最も共通的な群を判定することを可能にされ、かつ、前記データを用いて、前記ローバの前記コントローラに対する相対的な空間位置を判定し、更に前記コントローラの前記ヘディングを判定する手段を用いて前記ローバの、前記コントローラの前記ヘディングに対するベアリングを判定し、前記コントローラは、前記ローバの、前記コントローラの前記ヘディングに対する前記ベアリングを表示することを可能にされる表示モジュールを有することを特徴とするシステム。
【請求項２】
請求項１記載のシステムであって、前記位置特定技術ソースが衛星ベースの位置特定技術であることを特徴とするシステム。
【請求項３】
請求項１記載のシステムであって、前記特別にプログラムされるコンピュータ構成要素の１つがアプリケーション・サーバであり、該アプリケーション・サーバは、前記通信ネットワークを介して前記アプリケーション・サーバに送信される前記コントローラの位置測定データ源と前記ローバの位置測定データ源との最も共通的な群を判定し、前記ローバの前記コントローラに対する前記相対的な空間位置は前記最も共通的な群を用いて判定されることを特徴とするシステム。
【請求項４】
請求項２記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項５】
請求項３記載のシステムであって、前記アプリケーション・サーバによって判定される、位置測定データ源の前記最も共通的な群の位置測定データと、前記コントローラのヘディング情報が；
前記ローバの前記コントローラに対する相対的な空間位置と、前記ローバの、前記コントローラの前記ヘディングに対するベアリングとを算出し、更に、前記通信ネットワークを介して該算出の結果を前記コントローラに送信する、前記ネットワークと関連付けられるコンピュータ構成要素、又は、
前記コントローラに前記通信ネットワークを介して送信され、前記コントローラでの特別にプログラムされるコンピュータ構成要素は、前記ローバの前記コントローラに対する前記相対的な空間位置と、前記ローバの、前記コントローラの前記ヘディングに対する前記ベアリングとを計算することを特徴とするシステム。
【請求項６】
請求項５記載のシステムであって、前記位置特定技術ソースがＧＰＳであり、位置測定データ源の前記最も共通的な群が、前記コントローラと前記ローバとの両方によって追跡される共通的なＧＰＳ衛星群を含むことを特徴とするシステム。
【請求項７】
移動体ローバを移動体コントローラから位置特定し、追跡するシステムであって、該システムは、ＡＧＰＳ動作可能システムとともに動作する無線通信ネットワークとともに動作可能であり、
移動体コントローラを備え、該移動体コントローラは；
前記無線通信ネットワークを介して通信することを可能にされる無線通信モジュールと、
ＡＧＰＳモードにおいて機能して、前記無線通信ネットワークを介してＡＧＰＳ支援を取得し、かつ、ＧＰＳ位置測定データをＧＰＳ衛星から受信することを可能にされるＧＰＳモジュールとを備え、前記移動体コントローラは更に、
（ａ）コンパスと、
（ｂ）前記コントローラが移動することによってＧＰＳを用いることと、
（ａ）と（ｂ）との両方
とから成る群から選択される、前記コントローラのヘディングを備える手段を備え、
更に、移動体ローバを備え、該移動体ローバは；
前記無線通信ネットワークを介して通信することを可能にされる無線通信モジュールと、
ＡＧＰＳモードにおいて機能して、前記無線通信ネットワークを介してＡＧＰＳ支援を取得し、かつ、ＧＰＳ位置測定データをＧＰＳ衛星から受信することを可能にされるＧＰＳモジュールと、
前記コントローラも前記ローバも位置測定データを受信する共通のＧＰＳ衛星を選択する手段と、
前記ローバの、前記コントローラの前記ヘディングに対する相対的な空間位置を少なくとも前記共通のＧＰＳ衛星を用いて算出する手段と、
算出を行って、前記ローバの位置又は前記ローバと前記コントローラとの両方の位置を示す地図の表示を可能にし、前記地図を前記コントローラ上に表示する手段と、
前記コントローラから、前記コントローラの前記ヘディングに対する前記ローバまでのベアリングの表示子を判定することを可能にし、前記表示子を前記コントローラ上に表示する手段とを備えることを特徴とするシステム。
【請求項８】
請求項７記載のシステムであって、前記コントローラが、前記ローバの位置の証跡を前記ローバが移動するにつれ表示することを可能にされることを特徴とするシステム。
【請求項９】
請求項７記載のシステムであって、共通の衛星を選択する手段が、前記通信ネットワークと関連付けられるアプリケーション・サーバであることを特徴とするシステム。
【請求項１０】
請求項７記載のシステムであって、前記ローバの前記コントローラに対する前記相対的な空間位置を算出する手段は、前記通信ネットワークと関連付けられる計算機構成要素であることを特徴とするシステム。
【請求項１１】
請求項７記載のシステムであって、前記ローバの前記コントローラからの、前記コントローラのヘディングに対する前記ベアリングを判定することを可能にする手段が；
前記コントローラの前記ヘディングを判定する手段と、前記ベアリングから前記ローバまでの距離を計算する、前記コントローラにおける計算機構成要素とを備えることを特徴とするシステム。
【請求項１２】
無線通信ネットワークとともに動作可能な移動体コントローラに対して移動体ローバをオン・デマンドで位置特定するシステムであって、
移動体コントローラを備え、該移動体コントローラは、位置測定情報を位置特定技術ソースから受信する無線位置特定モジュールと、移動体ローバに命令を送信し、前記ローバにある無線位置特定モジュールから受信されるデータを処理する無線通信モジュール及び制御モジュールとを有し、
更に、少なくとも１つの移動体ローバを備え、該移動体ローバは、位置測定情報を位置特定技術ソースから受信する無線位置特定モジュールと、位置測定情報を含む情報を伝送する無線通信モジュールと、命令を移動体コントローラから受信する制御モジュールとを有し、
前記移動体ローバは、該移動体ローバが工程群のうちの何れか１つによって受信した位置測定情報を送信することを可能にされ、該工程群は；
１）前記無線通信ネットワークを介して前記移動体コントローラに直接、位置測定情報を送信する工程と、
２）前記情報を処理し、該処理情報を前記移動体ローバに備えることが可能な、前記無線通信ネットワークと関連付けられるアプリケーション・サーバへ位置測定情報を送信する工程と、
３）前記情報を処理し、該処理情報を前記移動体コントローラに備え、更に、前記処理情報を前記コントローラに送信することが可能な、前記無線通信ネットワークと関連付けられるアプリケーション・サーバへ位置測定情報を送信する工程と、
４）前記情報を、該情報を処理することなく直接、前記情報が処理されることになる前記移動体コントローラに直接送信する、前記無線通信ネットワークと関連付けられるアプリケーション・サーバへ位置測定情報を送信する工程とから成り、
前記移動体コントローラは、前記移動体ローバの前記移動体コントローラに対する相対的な空間関係を判定することを可能にされることを特徴とするシステム。
【請求項１３】
請求項１２記載のシステムであって、前記コントローラの無線位置特定モジュールと前記ローバの無線位置特定モジュールが、位置測定情報を、前記ＧＰＳと地上ベースの位置特定技術ソースとの何れか１つからか、前記ＧＰＳと地上ベースの位置特定技術ソースとの両方から受信することを可能にされることを特徴とするシステム。
【請求項１４】
請求項１３記載のシステムであって、前記コントローラ及び前記ローバは共通のソースからの位置測定情報を用いることを特徴とするシステム。
【請求項１５】
移動体ローバを移動体コントローラから位置特定し、追跡する方法であって、該移動体ローバ及び該移動体コントローラは、前記移動体ローバ及び前記移動体コントローラとの間で通信するよう通信ネットワークとともに動作可能であり、前記コントローラの位置の計算と前記ローバの位置の計算とに適用可能な特定の位置関連測定データを受信し、送信するよう、少なくとも１つの位置特定技術ソースとともに動作可能であり、
前記ローバに対する前記コントローラからの信号によって前記ローバを位置特定し、追跡する手順を開始する工程と、
前記ローバ及び前記コントローラで、位置特定技術ソースからの位置関連測定データの受信を開始する工程と、
前記ローバの位置の計算を可能にすることになる位置関連測定データを、前記通信ネットワークを介して前記ローバから、前記通信ネットワークに関連付けられ、多くのローバ及びコントローラからのそのようなデータを受信し、処理することを可能にされるアプリケーション・サーバに送信する工程と、
前記コントローラの位置の計算を可能にすることになる位置関連測定データを、前記通信ネットワークを介して前記コントローラから、前記アプリケーション・サーバに送信する工程と、
前記ローバの前記コントローラに対する相対的な空間位置を判定するのに用いる対象の、前記ローバ及び前記コントローラからの位置測定データの最も共通的なソース群を前記アプリケーション・サーバで判定する工程と、
位置測定データの前記最も共通的な群を用いて、前記ローバの前記コントローラに対する相対的な空間位置情報と、前記ローバ及び前記コントローラの絶対位置とを、特別にプログラムされる計算機構成要素で算出する工程と、
前記コントローラのヘディングを判定する手段を用いることによって、前記コントローラ内で、前記コントローラの該ヘディングを判定する工程と、
前記コントローラ内で前記ローバの、前記コントローラの前記ヘディングに対する前記相対的な空間位置情報を用いて、ディスプレイによって、前記ローバの、前記コントローラの前記ヘディングに対するベアリングを提示し、絶対位置が算出されている場合、前記ローバの地図上か前記ローバと前記コントローラとの両方の地図上に絶対位置を表示する工程とを備え、ベアリングの前記表示と、前記地図表示が代替的に選択可能であることを特徴とする方法。
【請求項１６】
請求項１５記載の方法であって、前記位置特定技術がＧＰＳであり、前記アプリケーション・サーバが、前記ローバ及び前記コントローラによって追跡される、ＧＰＳ衛星の最も共通的な群を判定することを特徴とする方法。
【請求項１７】
請求項１４記載のシステムであって、前記コントローラ及び前記ローバの無線位置特定モジュールが、位置測定情報を、ＧＰＳソース、地上ベースの位置特定技術ソース、又はＧＰＳソースと地上ベースの位置特定技術ソースとの両方から受信することを可能にされることを特徴とするシステム。
【請求項１８】
請求項１４記載のシステムであって、前記ローバとの無線通信リンクを設定し、前記ローバの位置の情報を前記無線位置特定モジュールから取得するコマンドの選択を含む探索機能を有するようプログラムされ、前記コントローラは更に、前記ローバの前記コントローラに対する相対的な空間位置と前記コントローラ及び前記ローバの地図上の絶対位置とをコマンドによって算出するようプログラムされ、前記コントローラ及び前記ローバの前記相対的な空間位置と絶対的な地図位置とのうちの選択される１つが、ユーザによる選択によってディスプレイ上に表示されるよう利用可能であることを特徴とするシステム。
【請求項１９】
請求項１４記載のシステムであって、前記コントローラは位置測定情報を無線位置特定システムから受信し、前記ローバは位置測定情報を同じ無線位置特定システムから受信し、前記ローバは、前記情報を比較して前記ローバ及び前記コントローラの相対的な空間位置を備える、前記コントローラと、前記無線通信ネットワークに関連付けられるネットワーク・サーバとの一方に位置測定情報を送信することを特徴とするシステム。
【請求項２０】
請求項１４記載のシステムであって、前記無線位置特定システムが衛星無線位置特定システムであることを特徴とするシステム。
【請求項２１】
請求項１６記載の方法であって、ＡＧＰＳソースからの支援を前記ローバ及び前記コントローラが受け、用いることを可能にする工程を更に備えることを特徴とする方法。
【請求項２２】
請求項２１記載の方法であって、
前記コントローラは、
該コントローラのヘディングを備えるようコンパスを装備しているか、
前記コントローラの前記ヘディングを前記コントローラの動きから備えるか、前記ローバの、前記コントローラの前記ヘディングに対するベアリングと、前記ローバの前記コントローラの前記ヘディングに対するベアリングと前記ローバまでの距離との両方との両方を用いることを可能にし、かつ、前記ローバの、前記コントローラの前記ヘディングに対するベアリングと、前記ローバの前記コントローラの前記ヘディングに対するベアリングと前記ローバまでの距離との両方との何れかを計算し、表示することを可能にされることを特徴とする方法。
【手続補正２】
【補正対象書類名】明細書
【補正対象項目名】００１６
【補正方法】変更
【補正の内容】
【００１６】
位置特定の技術の一部としては、アシストＧＰＳ（ＡＧＰＳ）、到着時間差（ＴＤＯＡ）を用いたネットワーク無線三角法、高度順方向リンク三辺測量（ＡＦＬＴ）、強化観測時間差法（ＥＯＴＤ）及び／又は到着角（ＡＯＡ）に加えて、利用可能な測定全てを衛星ベースの信号であっても地上ベースの信号であっても利用する他の位置特定技術によって強化されたＡＧＰＳなどのハイブリッドの解決策がある。本明細書及び特許請求の範囲の目的で、「地上ベースの位置特定技術」の句は、地上ベースの送信器から得られる測定を利用して位置の解決策を形成する、ＡＦＬＴ、ＴＤＯＡ、ＥＯＴＤ、ＡＯＡやＵＴＤＯＡなどの何れかの位置特定技術を規定するのに用いることとする。更に、明らかな記載が別途示されていない限り、「ｐｏｓｉｔｉｏｎ」及び「ｌｏｃａｔｉｏｎ」の語は区別なく用いられ、同義であるものとみなす。
【特許文献１】米国特許第５，０４３，７３６号明細書
【特許文献２】米国特許第５，２２３，８４４号明細書
【特許文献３】米国特許第５，２２５，８４２号明細書
【特許文献４】米国特許第５，２９９，１３２号明細書
【特許文献５】米国特許第５，３８９，９３４号明細書
【特許文献６】米国特許第５，３９８，１９０号明細書
【特許文献７】米国特許第５，４１８，５３７号明細書
【特許文献８】米国特許第５，４２２，８１６号明細書
【特許文献９】米国特許第５，５９４，４２５号明細書
【特許文献１０】米国特許第５，６５２，７０７号明細書
【特許文献１１】米国特許第５，７０３，５９８号明細書
【特許文献１２】米国特許第５，７１２，６１９号明細書
【特許文献１３】米国特許第５，７４２，５０９号明細書
【特許文献１４】米国特許第５，７４２，２３３号明細書
【特許文献１５】米国特許第５，７７７，５８０号明細書
【特許文献１６】米国特許第５，８３２，３９４号明細書
【特許文献１７】米国特許第５，８４８，３７３号明細書
【特許文献１８】米国特許第５，８８４，２２１号明細書
【特許文献１９】米国特許第６，１２１，９２２号明細書
【特許文献２０】米国特許第６，３００，９０２  Ｂ１号明細書
【特許文献２１】米国特許第６，３６２，７７８  Ｂ２号明細書
【特許文献２２】米国特許第６，３７７，２１０  Ｂ１号明細書
【特許文献２３】米国特許第６，５８８，６１２  Ｂ１号明細書
【特許文献２４】米国特許第６，４４１，７７８  Ｂ１号明細書
【特許文献２５】米国特許公開第２００１／００２６２４号明細書
【特許文献２６】米国特許公開第２００１／００５０６３１  Ａ１号明細書
【特許文献２７】米国特許公開第２００３／０００８６７１  Ａ１号明細書
【特許文献２８】米国特許公開第２００３／００６９６９３  Ａ１号明細書
【特許文献２９】米国特許公開第２００３／０１９１５６８  Ａ１号明細書
【特許文献３０】米国特許公開第２００３／０２１１８５３  Ａ１号明細書
【特許文献３１】米国特許公開第２００３／００２９５５８  Ａ１号明細書
【特許文献３２】米国特許公開第２００４／００３９５２７  Ａ１号明細書
【特許文献３３】米国特許公開第２００４／００４４４６８  Ａ１号明細書
【特許文献３４】米国特許第Ｂ１  ５，２２３，８４４号明細書
【特許文献３５】米国特許公開第２００３／０１０４８２２  Ａ１号明細書
【特許文献３６】米国特許第６，４８０，１４８  Ｂ１号明細書
【特許文献３７】米国特許第６，３４３，２５４  Ｂ１号明細書
【国際調査報告】
2006524316.tif 000029